(57)【要約】  本発明は、ＨＡＲＱ−ＡＣＫの伝送方法、端末装置およびネットワーク装置を開示することにより、反復送信が構成されたＰＵＳＣＨまたは同じＰＤＣＣＨによってスケジューリングされた複数のＰＵＳＣＨ上でＨＡＲＱ−ＡＣＫを送信する方法が指定されるようになる。ここで、ＨＡＲＱ−ＡＣＫの伝送方法は、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、ＨＡＲＱ−ＡＣＫを決定するときＰＤＣＣＨに使用されるＤＣＩフォーマットのＤＡＩを無視するステップと、前記少なくとも１つのＰＵＳＣＨで決定されたＨＡＲＱ−ＡＣＫを伝送するステップとを含む。
2022500959.tif 000002
【特許請求の範囲】
【請求項１】
ＨＡＲＱ−ＡＣＫが１つの物理ダウンリンク制御チャネル（ＰＤＣＣＨ）に対応する複数の物理アップリンク共有チャネル（ＰＵＳＣＨ）のうちの第１のＰＵＳＣＨ以外の少なくとも１つのＰＵＳＣＨ上で伝送される場合、前記ＨＡＲＱ−ＡＣＫを決定するときに前記ＰＤＣＣＨに使用されるダウンリンク制御情報（ＤＣＩ）フォーマットのダウンリンク割り当てインデックスＤＡＩを無視するステップと、
前記少なくとも１つのＰＵＳＣＨで決定されたＨＡＲＱ−ＡＣＫを伝送するステップとを含む、ことを特徴とするハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項２】
前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項３】
前記ＤＣＩフォーマットは、ＤＣＩフォーマット０＿１である、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項４】
前記ＨＡＲＱ−ＡＣＫを決定するときに前記ＰＤＣＣＨに使用されるＤＣＩフォーマットのＤＡＩを無視することは、
対応のＰＤＣＣＨがないＰＵＳＣＨでのＨＡＲＱ−ＡＣＫ伝送の決定モードに従がい、前記ＨＡＲＱ−ＡＣＫを決定し、または、
ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換えることを含み、
前記構成パラメータは、前記ＨＡＲＱ−ＡＣＫに空間バンドリングを使用するかどうかを示すために使用される、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項５】
前記ＨＡＲＱ−ＡＣＫを決定するときに前記ＰＤＣＣＨに使用されるＤＣＩフォーマットのＤＡＩを無視することは、半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が受信されない場合、ＰＵＳＣＨ上でＨＡＲＱ−ＡＣＫの送信がないことを決定し、および／または、
ＰＵＳＣＨ上でのＨＡＲＱ−ＡＣＫ伝送が必要とするダウンリンク伝送が１つだけ受信され、前記ダウンリンク伝送がＤＣＩフォーマット１＿０が使用されるＰＤＣＣＨによってスケジューリングされ、かつＤＣＩフォーマット１＿０内のＤＡＩ＝１のとき、またはＰＵＳＣＨ上でのＨＡＲＱ−ＡＣＫ伝送が必要とするＳＰＳ  ＰＤＳＣＨが１つだけ受信されるとき、前記ＨＡＲＱ−ＡＣＫは、前記１つのダウンリンク伝送または前記１つのＳＰＳ  ＰＤＳＣＨのＨＡＲＱ−ＡＣＫであり、さもないと、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項６】
前記ＨＡＲＱ−ＡＣＫを決定するときに前記ＰＤＣＣＨに使用されるＤＣＩフォーマットのＤＡＩを無視することは、半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送が受信されるとき、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換えることを含み、
前記構成パラメータは、前記ＨＡＲＱ−ＡＣＫに空間バンドリングを使用するかどうかを示すために使用される、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項７】
前記ＨＡＲＱ−ＡＣＫを決定するときに前記ＰＤＣＣＨに使用されるＤＣＩフォーマットのＤＡＩを無視することは、動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送またはＳＰＳ  ＰＤＳＣＨが受信されるとき、前記ＨＡＲＱ−ＡＣＫは、ダウンリンク伝送に対応するＰＤＣＣＨ内のＤＡＩに従がって決定された動的ＨＡＲＱ−ＡＣＫコードブックであることを含む、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項８】
前記ダウンリンク伝送は、ＰＤＳＣＨおよびＳＰＳ  ＰＤＳＣＨリリースのうちの少なくとも１つである、ことを特徴とする請求項５から請求項７のいずれか１項に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項９】
ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックスＤＡＩを無視するステップと、
前記少なくとも１つのＰＵＳＣＨ上で前記ＨＡＲＱ−ＡＣＫのフィードバックビット数に従がってＨＡＲＱ−ＡＣＫを受信するステップとを含む、ことを特徴とするハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１０】
前記複数のＰＵＳＣＨは、同じＰＵＳＣＨまたはＴＢの反復伝送であり、または、前記複数のＰＵＳＣＨは、同じＰＤＣＣＨによってスケジューリングされた複数の独立したＰＵＳＣＨの伝送である、ことを特徴とする請求項９に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１１】
前記ＤＣＩフォーマットは、ＤＣＩフォーマット０＿１である、ことを特徴とする請求項９に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１２】
前記ＨＡＲＱ−ＡＣＫのフィードバックビット数を決定するとき、前記ＰＤＣＣＨに使用されるＤＣＩフォーマットのＤＡＩを無視することは、
対応のＰＤＣＣＨがないＰＵＳＣＨでのＨＡＲＱ−ＡＣＫ伝送の決定モードに従がい、前記ＨＡＲＱ−ＡＣＫのフィードバックビット数を決定し、または、
ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項９に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１３】
前記ＨＡＲＱ−ＡＣＫのフィードバックビット数を決定するとき、前記ＰＤＣＣＨに使用されるＤＣＩフォーマットのＤＡＩを無視することは、半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が送信されない場合、ＰＵＳＣＨ上でのＨＡＲＱ−ＡＣＫの受信がないと判断し、および／または、
ＰＵＳＣＨ上でのＨＡＲＱ−ＡＣＫ伝送が必要とするダウンリンク伝送が１つだけ送信され、前記ダウンリンク伝送は、ＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、前記ＨＡＲＱ−ＡＣＫのフィードバックビット数は、前記一个ダウンリンク伝送または前記１つのＳＰＳ  ＰＤＳＣＨのＨＡＲＱ−ＡＣＫのフィードバックビット数であり、さもないと、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であることを含む、ことを特徴とする請求項９に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１４】
前記ＨＡＲＱ−ＡＣＫのフィードバックビット数を決定するとき、前記ＰＤＣＣＨに使用されるＤＣＩフォーマットのＤＡＩを無視することは、半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用されることを含む、ことを特徴とする請求項９に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１５】
前記ＨＡＲＱ−ＡＣＫのフィードバックビット数を決定するとき、前記ＰＤＣＣＨに使用されるＤＣＩフォーマットのＤＡＩを無視することは、動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である、ことを特徴とする請求項９に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１６】
前記ダウンリンク伝送は、ＰＤＳＣＨおよびＳＰＳ  ＰＤＳＣＨリリースのうちの少なくとも１つである、ことを特徴とする請求項１３から請求項１５のいずれか１項に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項１７】
命令を格納するように構成されたメモリと、
メモリ内の命令を読み取り、
ＨＡＲＱ−ＡＣＫが１つの物理ダウンリンク制御チャネル（ＰＤＣＣＨ）に対応する複数の物理アップリンク共有チャネル（ＰＵＳＣＨ）のうちの第１のＰＵＳＣＨ以外の少なくとも１つのＰＵＳＣＨ上で伝送される場合、前記ＨＡＲＱ−ＡＣＫを決定するときに前記ＰＤＣＣＨに使用されるダウンリンク制御情報（ＤＣＩ）フォーマットのダウンリンク割り当てインデックスＤＡＩを無視し、
前記少なくとも１つのＰＵＳＣＨで決定されたＨＡＲＱ−ＡＣＫを伝送するように構成されたプロセッサと、
プロセッサの制御下でデータを送受信するように構成された送受信機とを含む、ことを特徴とする端末装置。
【請求項１８】
前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である、ことを特徴とする請求項１７に記載の端末装置。
【請求項１９】
前記ＤＣＩフォーマットは、ＤＣＩフォーマット０＿１である、ことを特徴とする請求項１７に記載の端末装置。
【請求項２０】
前記プロセッサは、
対応のＰＤＣＣＨがないＰＵＳＣＨでのＨＡＲＱ−ＡＣＫ伝送の決定モードに従がい、前記ＨＡＲＱ−ＡＣＫを決定し、または、
ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項１７に記載の端末装置。
【請求項２１】
前記プロセッサは、半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が受信されない場合、ＰＵＳＣＨ上でＨＡＲＱ−ＡＣＫの送信がないことを決定し、および／または、
ＰＵＳＣＨ上でのＨＡＲＱ−ＡＣＫ伝送が必要とするダウンリンク伝送が１つだけ受信され、前記ダウンリンク伝送がＤＣＩフォーマット１＿０が使用されるＰＤＣＣＨによってスケジューリングされ、かつＤＣＩフォーマット１＿０内のＤＡＩ＝１のとき、またはＰＵＳＣＨ上でのＨＡＲＱ−ＡＣＫ伝送が必要とするＳＰＳ  ＰＤＳＣＨが１つだけ受信されるとき、前記ＨＡＲＱ−ＡＣＫは、前記１つのダウンリンク伝送または前記１つのＳＰＳ  ＰＤＳＣＨのＨＡＲＱ−ＡＣＫであり、さもないと、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである、ことを特徴とする請求項１７に記載の端末装置。
【請求項２２】
前記プロセッサは、半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送が受信されるとき、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項１７に記載の端末装置。
【請求項２３】
前記プロセッサは、動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送またはＳＰＳ  ＰＤＳＣＨが受信されるとき、前記ＨＡＲＱ−ＡＣＫは、ダウンリンク伝送に対応するＰＤＣＣＨ内のＤＡＩに従がって決定された動的ＨＡＲＱ−ＡＣＫコードブックである、ことを特徴とする請求項１７に記載の端末装置。
【請求項２４】
前記ダウンリンク伝送は、ＰＤＳＣＨおよびＳＰＳ  ＰＤＳＣＨリリースのうちの少なくとも１つである、ことを特徴とする請求項２１から請求項２３のいずれか１項に記載の端末装置。
【請求項２５】
命令を格納するように構成されたメモリと、
メモリ内の命令を読み取り、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックスＤＡＩを無視し、
ＰＵＳＣＨ上で前記ＨＡＲＱ−ＡＣＫのフィードバックビット数に従がってＨＡＲＱ−ＡＣＫを受信するように構成されたプロセッサと、
プロセッサの制御下でデータを送受信するように構成された送受信機とを含む、ことを特徴とするネットワーク装置。
【請求項２６】
前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である、ことを特徴とする請求項２５に記載のネットワーク装置。
【請求項２７】
前記ＤＣＩフォーマットは、ＤＣＩフォーマット０＿１である、ことを特徴とする請求項２５に記載のネットワーク装置。
【請求項２８】
前記プロセッサは、
対応のＰＤＣＣＨがないＰＵＳＣＨでのＨＡＲＱ−ＡＣＫ伝送の決定モードに従がい、前記ＨＡＲＱ−ＡＣＫのフィードバックビット数を決定し、または、
ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項２５に記載のネットワーク装置。
【請求項２９】
前記プロセッサは、半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が送信されない場合、ＰＵＳＣＨ上でのＨＡＲＱ−ＡＣＫの受信がないと判断し、および／または、
ＰＵＳＣＨ上でのＨＡＲＱ−ＡＣＫ伝送が必要とするダウンリンク伝送が１つだけ送信され、前記ダウンリンク伝送は、ＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、前記ＨＡＲＱ−ＡＣＫのフィードバックビット数は、前記一个ダウンリンク伝送または前記１つのＳＰＳ  ＰＤＳＣＨのＨＡＲＱ−ＡＣＫのフィードバックビット数であり、さもないと、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数である、ことを特徴とする請求項２５に記載のネットワーク装置。
【請求項３０】
前記プロセッサは、半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項２５に記載のネットワーク装置。
【請求項３１】
前記プロセッサは、動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である、ことを特徴とする請求項２５に記載のネットワーク装置。
【請求項３２】
前記ダウンリンク伝送は、ＰＤＳＣＨおよびＳＰＳ  ＰＤＳＣＨリリースのうちの少なくとも１つである、ことを特徴とする請求項２９から請求項３１のいずれか１項に記載のネットワーク装置。
【請求項３３】
ＨＡＲＱ−ＡＣＫが１つの物理ダウンリンク制御チャネル（ＰＤＣＣＨ）に対応する複数の物理アップリンク共有チャネル（ＰＵＳＣＨ）のうちの第１のＰＵＳＣＨ以外の少なくとも１つのＰＵＳＣＨ上で伝送される場合、前記ＨＡＲＱ−ＡＣＫを決定するときに前記ＰＤＣＣＨに使用されるダウンリンク制御情報（ＤＣＩ）フォーマットのダウンリンク割り当てインデックスＤＡＩを無視するように構成された決定ユニットと、
前記少なくとも１つのＰＵＳＣＨで決定されたＨＡＲＱ−ＡＣＫを伝送するように構成された伝送ユニットとを含む、ことを特徴とする端末装置。
【請求項３４】
ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックスＤＡＩを無視するように構成された決定ユニットと、
前記少なくとも１つのＰＵＳＣＨ上で前記ＨＡＲＱ−ＡＣＫのフィードバックビット数に従がってＨＡＲＱ−ＡＣＫを受信するように構成された受信ユニットとを含む、ことを特徴とするネットワーク装置。
【請求項３５】
コンピュータプログラムがプロセッサによって実行されるときに、請求項１から請求項８または９から請求項１６のいずれか１項に記載の方法が実行される、コンピュータプログラムを格納するコンピュータ記憶媒体。
【発明の詳細な説明】
【技術分野】
【０００１】
［関連出願の相互参照］
本出願は、２０１８年９月２１日に中国特許局に提出し、出願番号が２０１８１１１０６８３７．９であり、発明名称が「ＨＡＲＱ−ＡＣＫの伝送方法、端末装置およびネットワーク装置」との中国特許出願を基礎とする優先権を主張し、その開示の総てをここに取り込む。
［技術分野］
本発明は、通信技術分野ＨＡＲＱ−ＡＣＫの伝送方法に関し、特にＨＡＲＱ−ＡＣＫの伝送方法、端末装置およびネットワーク装置に関する。
【背景技術】
【０００２】
５Ｇ（５  Ｇｅｎｅｒａｔｉｏｎ，５世代）移動通信技術において、ネットワークの新しい無線アクセス技術（ＮＲ）は、ＰＵＳＣＨ（Ｐｈｙｓｉｃａｌ  Ｕｐｌｉｎｋ  Ｓｈａｒｅｄ  Ｃｈａｎｎｅｌ，物理アップリンク共有チャネル）の繰り返し送信をサポートし、さらに、ＰＵＣＣＨ（Ｐｈｙｓｉｃａｌ  Ｕｐｌｉｎｋ  Ｃｏｎｔｒｏｌ  Ｃｈａｎｎｅｌ，物理アップリンク制御チャネル）が、ＰＵＣＣＨの時間領域リソースがＰＵＳＣＨの時間領域リソースと重ね合わされると、ＰＵＣＣＨにおいて運ばれるＵＣＩ（Ｕｐｌｉｎｋ  Ｃｏｎｔｒｏｌ  Ｉｎｆｏｒｍａｔｉｏｎ，アップリンク制御情報）をＰＵＳＣＨで送信されるように転送されるため、さまざまなチャネルのパラレル送信が回避される。しかしながら、反復伝送が構成されたＰＵＳＣＨまたは同じＰＤＣＣＨ（Ｐｈｙｓｉｃａｌ  Ｄｏｗｎｌｉｎｋ  Ｃｏｎｔｒｏｌ  Ｃｈａｎｎｅｌ，物理ダウンリンク制御チャネル）によってスケジューリングされた複数のＰＵＳＣＨなどのＰＵＳＣＨ上でＵＣＩを送信する方法は指定されていない。
【発明の概要】
【発明が解決しようとする課題】
【０００３】
本発明の実施形態は、新しいメカニズムを提供し、反復送信が構成されたＰＵＳＣＨまたは同じＰＤＣＣＨによってスケジューリングされた複数のＰＵＳＣＨ上でＨＡＲＱ−ＡＣＫを送信する方法を指定するために、ＨＡＲＱ−ＡＣＫの送信方法、端末装置、およびネットワーク装置を提供する。
【課題を解決するための手段】
【０００４】
第１の態様では、ＨＡＲＱ−ＡＣＫの送信方法が提供される。当該送信方法では、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫを決定するとき、前記ＰＤＣＣＨに使用されるダウンリンク制御情報（ＤＣＩ）フォーマットのダウンリンク割り当てインデックス（ＤＡＩ）を無視し、前記少なくとも１つのＰＵＳＣＨで決定されたＨＡＲＱ−ＡＣＫを伝送する。
【０００５】
本発明の実施形態では、ＨＡＲＱ−ＡＣＨを運ぶＰＵＣＣＨが、第１のＰＵＳＣＨ以外の複数のＰＵＳＣＨと重ね合わされる場合、端末装置は、ＰＤＣＣＨに使用されるＤＣＩフォーマットのＤＡＩを無視して、複数のＰＵＳＣＨで運ばれるＨＡＲＱ−ＡＣＫを決定する。すなわち、新しいメカニズムが提供され、反復送信が構成されたＰＵＳＣＨまたは同じＰＤＣＣＨによってスケジューリングされた複数のＰＵＳＣＨ上でＨＡＲＱ−ＡＣＫを送信する方法が指定される。
【０００６】
任意選択で、前記複数のＰＵＳＣＨは、同じＰＵＳＣＨまたは伝送ブロック（ＴＢ）の反復伝送であり、または、前記複数のＰＵＳＣＨは、同じＰＤＣＣＨによってスケジューリングされた複数の独立したＰＵＳＣＨの伝送である。
【０００７】
本発明の実施形態では、複数のＰＵＳＣＨには様々な状況が存在する可能性があり、例えば、複数のＰＵＳＣＨは、同じＰＵＳＣＨの反復伝送、またはＴＢの反復伝送、または同じＰＤＣＣＨによってスケジューリングされた複数の独立したＰＵＳＣＨの伝送であり得る。複数のＰＵＳＣＨは、適用範囲が比較的広いように、任意の状況に適している。
任意選択で、前記ＤＣＩフォーマットは、ＤＣＩフォーマット０＿１である。
【０００８】
任意選択で、前記ＨＡＲＱ−ＡＣＫを決定するときに前記ＰＤＣＣＨに使用されるＤＣＩフォーマットのＤＡＩを無視することは、具体的に、対応のＰＤＣＣＨがないＰＵＳＣＨでのＨＡＲＱ−ＡＣＫ伝送の決定モードに従がい、前記ＨＡＲＱ−ＡＣＫを決定し、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【０００９】
任意選択で、前記ＨＡＲＱ−ＡＣＫを決定するときに前記ＰＤＣＣＨに使用されるＤＣＩフォーマットのＤＡＩを無視することは、具体的に、半静的ＨＡＲＱ−ＡＣＫコードブックが使用される場合、ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が受信されない場合、ＰＵＳＣＨ上でＨＡＲＱ−ＡＣＫの送信がないことを決定し、および／または、ＰＵＳＣＨ上でのＨＡＲＱ−ＡＣＫ伝送が必要とするダウンリンク伝送が１つだけ受信され、前記ダウンリンク伝送がＤＣＩフォーマット１＿０が使用されるＰＤＣＣＨによってスケジューリングされ、かつＤＣＩフォーマット１＿０内のＤＡＩ＝１のとき、またはＰＵＳＣＨ上でのＨＡＲＱ−ＡＣＫ伝送が必要とするＳＰＳ  ＰＤＳＣＨが１つだけ受信されるとき（すなわち、ＰＵＳＣＨに、１つのＳＰＳ  ＰＤＳＣＨに対応するＨＡＲＱ−ＡＣＫのみ存在する場合）、前記ＨＡＲＱ−ＡＣＫは、前記１つのダウンリンク伝送または前記１つのＳＰＳ  ＰＤＳＣＨのＨＡＲＱ−ＡＣＫであり、さもないと、（すなわち、ＰＵＳＣＨ上でのＨＡＲＱ−ＡＣＫ伝送が必要とするダウンリンク伝送が１つだけ受信され、前記ダウンリンク伝送は、ＤＣＩフォーマット１＿０が使用されるＰＤＣＣＨによってスケジューリングされ、ＤＣＩフォーマット１＿０内のＤＡＩは１ではなく、またはＰＵＳＣＨ上でのＨＡＲＱ−ＡＣＫ伝送が必要とするダウンリンク伝送が１つだけ受信され、前記ダウンリンク伝送は、ＤＣＩフォーマット１＿０が使用されるＰＤＣＣＨによってスケジューリングされず、または１つ以上のダウンリンク伝送が受信され、または１つのダウンリンク伝送および１つのＳＰＳ  ＰＤＳＣＨが受信される）、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである。
【００１０】
任意選択で、前記ＨＡＲＱ−ＡＣＫを決定するときに前記ＰＤＣＣＨに使用されるＤＣＩフォーマットのＤＡＩを無視することは、具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送が受信されるとき、前記ＨＡＲＱ＿ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００１１】
任意選択で、前記ＨＡＲＱ−ＡＣＫを決定するときに前記ＰＤＣＣＨに使用されるＤＣＩフォーマットのＤＡＩを無視することは、具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送またはＳＰＳ  ＰＤＳＣＨが受信されるとき、前記ＨＡＲＱ−ＡＣＫは、ダウンリンク伝送に対応するＰＤＣＣＨ内のＤＡＩに従がって決定された動的ＨＡＲＱ−ＡＣＫコードブックである。
【００１２】
本発明の実施形態において、ＰＤＣＣＨに使用されるＤＣＩフォーマットのＤＡＩを無視し、ＨＡＲＱ−ＡＣＫを決定する方法は、例として、上記の４つの任意の方法で実施できる。
【００１３】
任意選択で、前記ダウンリンク伝送は、ＰＤＳＣＨまたは半永続スケジューリング（ＳＰＳ）ＰＤＳＣＨリリース（ｒｅｌｅａｓｅ）のうちの少なくとも１つである。
【００１４】
第２の態様では、第２の態様では、ＨＡＲＱ−ＡＣＫの受信方法が提供される。当該伝送方法は、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックス（ＤＡＩ）を無視し、前記少なくとも１つのＰＵＳＣＨ上で前記ＨＡＲＱ−ＡＣＫのフィードバックビット数に従がってＨＡＲＱ−ＡＣＫを受信する。
【００１５】
任意選択で、前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である。
任意選択で、前記ＤＣＩフォーマットは、ＤＣＩフォーマット０＿１である。
【００１６】
任意選択で、前記ＨＡＲＱ−ＡＣＫのフィードバックビット数を決定するとき、前記ＰＤＣＣＨに使用されるＤＣＩフォーマットのＤＡＩを無視することは、具体的に、対応のＰＤＣＣＨがないＰＵＳＣＨでのＨＡＲＱ−ＡＣＫ伝送の決定モードに従がい、前記ＨＡＲＱ−ＡＣＫのフィードバックビット数を決定し、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００１７】
任意選択で、前記ＨＡＲＱ−ＡＣＫのフィードバックビット数を決定するとき、前記ＰＤＣＣＨに使用されるＤＣＩフォーマットのＤＡＩを無視することは、具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、
および／または、ＰＵＳＣＨ上でのＨＡＲＱ−ＡＣＫ伝送が必要とするダウンリンク伝送が１つだけ送信され、前記ダウンリンク伝送は、ＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、前記ＨＡＲＱ−ＡＣＫのフィードバックビット数は、前記一个ダウンリンク伝送または前記１つのＳＰＳ  ＰＤＳＣＨのＨＡＲＱ−ＡＣＫのフィードバックビット数であり、さもないと、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数である。
【００１８】
任意選択で、前記ＨＡＲＱ−ＡＣＫのフィードバックビット数を決定するとき、前記ＰＤＣＣＨに使用されるＤＣＩフォーマットのＤＡＩを無視することは、具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００１９】
任意選択で、前記ＨＡＲＱ−ＡＣＫのフィードバックビット数を決定するとき、前記ＰＤＣＣＨに使用されるＤＣＩフォーマットのＤＡＩを無視することは、具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である。
【００２０】
任意選択で、前記ダウンリンク伝送は、ＰＤＳＣＨまたは半永続スケジューリング（ＳＰＳ  ＰＤＳＣＨ）リリースのうちの少なくとも１つである。
【００２１】
第３の態様では、端末装置が提供される。前記端末装置は、命令を格納するように構成されたメモリと、メモリ内の命令を読み取り、以下のプロセスを実行するように構成されたプロセッサと、プロセッサの制御下でデータを送受信するように構成された送受信機とを含み、前記プロセッサは、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫを決定するときに前記ＰＤＣＣＨに使用されるダウンリンク制御情報（ＤＣＩ）フォーマットのダウンリンク割り当てインデックス（ＤＡＩ）を無視し、前記少なくとも１つのＰＵＳＣＨで決定されたＨＡＲＱ−ＡＣＫを伝送する。
【００２２】
任意選択で、前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である。
任意選択で、前記ＤＣＩフォーマットは、ＤＣＩフォーマット０＿１である。
【００２３】
任意選択で、前記プロセッサは具体的に、対応のＰＤＣＣＨがないＰＵＳＣＨでのＨＡＲＱ−ＡＣＫ伝送の決定モードに従がい、前記ＨＡＲＱ−ＡＣＫを決定し、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００２４】
任意選択で、前記プロセッサは具体的に、半静的ＨＡＲＱ−ＡＣＫコードブックが使用される場合、ＰＵＳＣＨ上でのＨＡＲＱ−ＡＣＫ伝送が必要とするダウンリンク伝送または半永続的スケジューリング（ＳＰＳ）ＰＤＳＣＨが受信されていない場合、ＰＵＳＣＨ上でＨＡＲＱ−ＡＣＫの送信がないことを決定し、および／または、ＰＵＳＣＨ上でのＨＡＲＱ−ＡＣＫ伝送が必要とするダウンリンク伝送が１つだけ受信され、前記ダウンリンク伝送がＤＣＩフォーマット１＿０が使用されるＰＤＣＣＨによってスケジューリングされ、かつＤＣＩフォーマット１＿０内のＤＡＩ＝１のとき、またはＰＵＳＣＨ上でのＨＡＲＱ−ＡＣＫ伝送が必要とするＳＰＳ  ＰＤＳＣＨが１つだけ受信されるとき、前記ＨＡＲＱ−ＡＣＫは、前記１つのダウンリンク伝送または前記１つのＳＰＳ  ＰＤＳＣＨのＨＡＲＱ−ＡＣＫであり、さもないと、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである。
【００２５】
任意選択で、前記プロセッサは具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送が受信されるとき、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００２６】
任意選択で、前記プロセッサは具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送またはＳＰＳ  ＰＤＳＣＨが受信されるとき、前記ＨＡＲＱ−ＡＣＫは、ダウンリンク伝送に対応するＰＤＣＣＨ内のＤＡＩに従がって決定された動的ＨＡＲＱ−ＡＣＫコードブックである。
【００２７】
任意選択で、前記ダウンリンク伝送は、ＰＤＳＣＨまたは半永続スケジューリング（ＳＰＳ）ＰＤＳＣＨリリースうちの少なくとも１つである。
【００２８】
第４の態様では、ネットワーク装置が提供される。当該ネットワーク装置は、命令を格納するように構成されたメモリと、メモリ内の命令を読み取り、以下のプロセスを実行するように構成されたプロセッサと、プロセッサの制御下でデータを送受信するように構成された送受信機とを含み、前記プロセッサは、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックスＤＡＩを無視し、ＰＵＳＣＨ上で前記ＨＡＲＱ−ＡＣＫのフィードバックビット数に従がってＨＡＲＱ−ＡＣＫを受信する。
【００２９】
任意選択で、前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である。
【００３０】
任意選択で、前記ＤＣＩフォーマットは、ＤＣＩフォーマット０＿１である。
【００３１】
任意選択で、前記プロセッサは具体的に、対応のＰＤＣＣＨがないＰＵＳＣＨでのＨＡＲＱ−ＡＣＫ伝送の決定モードに従がい、前記ＨＡＲＱ−ＡＣＫのフィードバックビット数を決定し、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００３２】
任意選択で、前記プロセッサは具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、ＰＵＳＣＨ上でのＨＡＲＱ−ＡＣＫ伝送が必要とするダウンリンク伝送が１つだけ送信され、前記ダウンリンク伝送は、ＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、前記ＨＡＲＱ−ＡＣＫのフィードバックビット数は、前記一个ダウンリンク伝送または前記１つのＳＰＳ  ＰＤＳＣＨのＨＡＲＱ−ＡＣＫのフィードバックビット数であり、さもないと、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数である。
【００３３】
任意選択で、前記プロセッサは具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００３４】
任意選択で、前記プロセッサは具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である。
【００３５】
任意選択で、前記ダウンリンク伝送は、ＰＤＳＣＨまたは半永続スケジューリング（ＳＰＳ）ＰＤＳＣＨリリースうちの少なくとも１つである。
【００３６】
第５の態様では、端末装置が提供される。当該端末装置は、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫを決定するときに前記ＰＤＣＣＨに使用されるダウンリンク制御情報（ＤＣＩ）フォーマットのダウンリンク割り当てインデックス（ＤＡＩ）を無視するように構成された決定ユニットと、前記少なくとも１つのＰＵＳＣＨで決定されたＨＡＲＱ−ＡＣＫを伝送するように構成された伝送ユニットとを含む。
【００３７】
任意選択で、前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である。
【００３８】
任意選択で、前記ＤＣＩフォーマットは、ＤＣＩフォーマット０＿１である。
【００３９】
任意選択で、前記決定ユニットは具体的に、対応のＰＤＣＣＨがないＰＵＳＣＨでのＨＡＲＱ−ＡＣＫ伝送の決定モードに従がい、前記ＨＡＲＱ−ＡＣＫを決定し、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００４０】
任意選択で、前記決定ユニットは具体的に、半静的ＨＡＲＱ−ＡＣＫコードブックが使用される場合、ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が受信されない場合、ＰＵＳＣＨ上でＨＡＲＱ−ＡＣＫの送信がないことを決定し、および／または、ＰＵＳＣＨ上でのＨＡＲＱ−ＡＣＫ伝送が必要とするダウンリンク伝送が１つだけ受信され、前記ダウンリンク伝送がＤＣＩフォーマット１＿０が使用されるＰＤＣＣＨによってスケジューリングされ、かつＤＣＩフォーマット１＿０内のＤＡＩ＝１のとき、またはＰＵＳＣＨ上でのＨＡＲＱ−ＡＣＫ伝送が必要とするＳＰＳ  ＰＤＳＣＨが１つだけ受信されるとき、前記ＨＡＲＱ−ＡＣＫは、前記１つのダウンリンク伝送または前記１つのＳＰＳ  ＰＤＳＣＨのＨＡＲＱ−ＡＣＫであり、さもないと、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである。
【００４１】
任意選択で、前記決定ユニットは具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送が受信されるとき、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００４２】
任意選択で、前記決定ユニットは具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送またはＳＰＳ  ＰＤＳＣＨが受信されるとき、前記ＨＡＲＱ−ＡＣＫは、ダウンリンク伝送に対応するＰＤＣＣＨ内のＤＡＩに従がって決定された動的ＨＡＲＱ−ＡＣＫコードブックである。
【００４３】
任意選択で、前記ダウンリンク伝送は、ＰＤＳＣＨまたは半永続スケジューリング（ＳＰＳ）ＰＤＳＣＨリリースうちの少なくとも１つである。
【００４４】
第６の態様では、ネットワーク装置が提供される。当該ネットワーク装置は、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックスＤＡＩを無視するように構成された決定ユニットと、前記少なくとも１つのＰＵＳＣＨ上で前記ＨＡＲＱ−ＡＣＫのフィードバックビット数に従がってＨＡＲＱ−ＡＣＫを受信するように構成された受信ユニットとを含む。
【００４５】
任意選択で、前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である。
【００４６】
任意選択で、前記ＤＣＩフォーマットは、ＤＣＩフォーマット０＿１である。
【００４７】
任意選択で、前記決定ユニットは具体的に、対応のＰＤＣＣＨがないＰＵＳＣＨでのＨＡＲＱ−ＡＣＫ伝送の決定モードに従がい、前記ＨＡＲＱ−ＡＣＫのフィードバックビット数を決定し、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００４８】
任意選択で、前記決定ユニットは具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、ＰＵＳＣＨ上でのＨＡＲＱ−ＡＣＫ伝送が必要とするダウンリンク伝送が１つだけ送信され、前記ダウンリンク伝送は、ＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、前記ＨＡＲＱ−ＡＣＫのフィードバックビット数は、前記一个ダウンリンク伝送または前記１つのＳＰＳ  ＰＤＳＣＨのＨＡＲＱ−ＡＣＫのフィードバックビット数であり、さもないと、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数である。
【００４９】
任意選択で、前記決定ユニットは具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される。
【００５０】
任意選択で、前記決定ユニットは具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である。
任意選択で、前記ダウンリンク伝送は、ＰＤＳＣＨまたは半永続スケジューリング（ＳＰＳ）ＰＤＳＣＨリリースうちの少なくとも１つである。
【００５１】
第７の態様では、コンピュータプログラムを格納するコンピュータ記憶媒体が提供され、コンピュータプログラムがプロセッサによって実行されるときに、第１または第２の態様のいずれか１つに記載の方法が実行される。
【発明の効果】
【００５２】
本発明の実施形態では、ＨＡＲＱ−ＡＣＨを運ぶＰＵＣＣＨが、第１のＰＵＳＣＨ以外の複数のＰＵＳＣＨと重ね合わされる場合、端末装置は、ＰＤＣＣＨに使用されるＤＣＩフォーマットのＤＡＩを無視して、複数のＰＵＳＣＨで運ばれるＨＡＲＱ−ＡＣＫを決定する。すなわち、新しいメカニズムが提供され、反復送信が構成されたＰＵＳＣＨまたは同じＰＤＣＣＨによってスケジューリングされた複数のＰＵＳＣＨ上でＨＡＲＱ−ＡＣＫを送信する方法が指定される。
【図面の簡単な説明】
【００５３】
【図１】本発明の実施形態で提供されるＨＡＲＱ−ＡＣＫの伝送方法のフローチャートを示す概略図である。
【図２】本発明の実施形態で提供される第１の実施形態におけるスケジューリングおよびフィードバックを示す概略図である。
【図３】本発明の実施形態で提供される第２の実施形態におけるスケジューリングおよびフィードバックを示す概略図である。
【図４】本発明の実施形態で提供される端末装置の構造を示す概略図である。
【図５】本発明の実施形態で提供される端末装置の構造を示す概略図である。
【図６】本発明の実施形態で提供されるネットワーク装置の構造を示す概略図である。
【図７】本発明の実施形態で提供されるネットワーク装置の構造を示す概略図である。
【発明を実施するための形態】
【００５４】
本発明の目的、技術的解決策および利点をより明確に提示するために、本発明の実施形態における技術的解決策は、本発明の実施形態における添付の図面と組み合わせて、以下に明確かつ完全に説明される。
本発明の実施形態の背景を以下に紹介する。
【００５５】
ＬＴＥ（Ｌｏｎｇ  Ｔｅｒｍ  Ｅｖｏｌｕｔｉｏｎ，ロングタームエボリューション）無線通信システムにおいて、ＵＥ（Ｕｓｅｒ  Ｅｑｕｉｐｍｅｎｔ，ユーザ機器）などの端末装置が、特定のサブフレームにおいてＰＵＳＣＨおよびＵＣＩ伝送が同時に存在する場合、ＵＣＩを運ぶＰＵＣＣＨは、ＰＵＳＣＨの時間領域リソースと重ね合わされる可能性がある。ＵＥがＰＵＣＣＨとＰＵＳＣＨの同時送信をサポートし、高位層のシグナリングがＰＵＣＣＨとＰＵＳＣＨの同時送信を実行できるように構成されている場合、ＰＵＣＣＨおよびＰＵＳＣＨが同時に伝送することができる。例えば、ＵＣＩがＰＵＣＣＨ上で伝送され、データがＰＵＳＣＨ上で伝送されるように、同時に実行され得る。ＵＥがＰＵＣＣＨとＰＵＳＣＨの同時伝送をサポートしていない場合、または高位層のシグナリングがＰＵＣＣＨとＰＵＳＣＨの同時伝送を実行できないように構成されている場合、ＰＵＣＣＨで伝送されるＵＣＩはＰＵＳＣＨに転送され、ＰＵＳＣＨで最初に伝送された情報と一緒に、ＰＵＳＣＨで多重化されて伝送される。ＵＣＩには、少なくともＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｗｌｅｇｅｍｅｎｔ）、ＣＳＩ（Ｃｈａｎｎｅｌ  Ｓｔａｔｅ  Ｉｎｆｏｒｍａｔｉｏｎ，チャネル状態情報）、およびＳＲ（Ｓｃｈｅｄｕｌｉｎｇ  Ｒｅｑｕｅｓｔ，スケジューリング要求）が含まれる。
【００５６】
特に、反復伝送するように構成されていないＰＵＳＣＨについて、ＰＵＳＣＨに対応するＰＤＣＣＨ（すなわち、ＵＬ  ＧＲＡＮＴスケジューリング）が提供され、ＰＤＣＣＨがＤＣＩ（Ｄｏｗｎｌｉｎｋ  Ｃｏｎｔｒｏｌ  Ｉｎｆｏｒｍａｔｉｏｎ，ダウンリンク制御情報）フォーマット０＿１を採用する場合、ＤＣＩフォーマット０＿１には、一般にＵＬ  ＤＡＩと呼ばれる１ビットまたは２ビットのＤＡＩ（Ｄｏｗｎｌｉｎｋ  Ａｓｓｉｇｎｍｅｎｔ  Ｉｎｄｅｘ，ダウンリンク割り当てインデックス）が含まれ、ＰＵＳＣＨでのＨＡＲＱ−ＡＣＫの伝送状況を示すために使用される。ＤＣＩフォーマット０＿１で示すためのＤＡＩがない場合、ＰＵＳＣＨが配置されている時間領域位置でＨＡＲＱ−ＡＣＫフィードバックを必要とするダウンリンク伝送を受信しないとき、ＵＥは、ＰＵＳＣＨにＨＡＲＱ−ＡＣＫ送信がないと判断することができる。そして、ＰＵＳＣＨが配置されている時間領域位置でＨＡＲＱ−ＡＣＫフィードバックを必要とするダウンリンク伝送を受信するとき、ＵＥは、ＰＵＳＣＨ上に構成されたコードブックに従って、ＨＡＲＱ−ＡＣＫ送信があると決定することができる。
【００５７】
半静的コードブック（Ｓｅｍｉ−Ｓｔａｔｉｃ  Ｃｏｄｅｂｏｏｋ）を採用することによってＨＡＲＱ−ＡＣＫが送信されるように構成されている場合、ＤＣＩフォーマット０＿１は、ＰＵＳＣＨ上にＨＡＲＱ−ＡＣＫ送信があるかどうかを示すための１ビットＤＡＩを含む。ダウンリンク伝送のパケット損失に起因する、端末および基地局によるＰＵＳＣＨでのＨＡＲＱ−ＡＣＫ送信の一貫性のない理解を回避するために使用される。ＨＡＲＱ−ＡＣＫが動的コードブック（Ｄｙｎａｍｉｃ  Ｃｏｄｅｂｏｏｋ）を採用して送信されるように構成されている場合、ＤＣＩフォーマット０＿１には、ＰＵＳＣＨでのＨＡＲＱ−ＡＣＫ送信の合計ビットを示すための２ビットまたは４ビットのＤＡＩが含まれる。ＴＢ（Ｔｒａｎｓｐｏｒｔ  Ｂｌｏｃｋ，伝送ブロック）に基づくダウンリンク伝送とＣＢＧ（ｃｏｄｉｎｇ  ｂｌｏｃｋ  Ｇｒｏｕｐ，コーディングブロックグループ）に基づくダウンリンク伝送のそれぞれのコードブックが採用され、各サブコードブックは２ビットＤＡＩに対応し、合計で４ビットＤＡＩがある。動的コードブック（ｄｙｎａｍｉｃ  ｃｏｄｅｂｏｏｋ）の場合、当該動的コードブックに対応するＰＤＣＣＨ監視機会（Ｍｏｎｉｔｏｒｉｎｇ  ｏｃｃａｓｉｏｎ）集合でＰＤＣＣＨ（ＰＤＳＣＨのスケジューリングまたはダウンリンクＳＰＳリソースのリリースを示すために使用されるＰＤＣＣＨ）によって使用されるＤＣＩ（ＤＣＩフォーマット０＿１または１＿１など）にも一般にＤＬＤＡＩと呼ばれるＤＡＩが含まれる。シングルキャリアの場合、２ビットのＤＡＩしかいない。また、複数のキャリアがある場合、コードブックの順序とサイズを示すためにそれぞれ使用される２ビットＣ−ＤＡＩと２ビットＴ−ＤＡＩを含む４ビットＤＡＩがある。
【００５８】
現在、５Ｇ  ＮＲシステムは、ＰＵＳＣＨの反復伝送をサポートし、さらに、ＰＵＣＣＨの時間領域リソースが、ＰＵＳＣＨの時間領域リソースと重ね合わされるときに、ＰＵＣＣＨ上で運ばれるＵＣＩがＰＵＳＣＨ上に転送される送信をサポートするため、さまざまなチャネルのパラレル送信を回避できる。
【００５９】
５Ｇ  ＮＲにおいて、ＨＡＲＱ−ＡＣＫを運ぶＰＵＣＣＨが、反復送信が構成されたＰＵＳＣＨと重ね合わされ、ＰＵＳＣＨが、ＤＣＩフォーマット０＿１を使用してＰＤＣＣＨによってスケジューリングされる場合、ＤＣＩフォーマット０＿１のＤＡＩに従ったＰＵＳＣＨ上でＨＡＲＱのコードブックを決定するための特定の方法はまだない。
【００６０】
さらに、複数のＰＵＳＣＨが１つのＰＤＣＣＨによってスケジューリングされる送信状況の場合、例えば、スロットｎ内のＰＤＣＣＨは、スロットｎ＋Ｋ２から始まるＮ個のスロット内のＮ個のＰＵＳＣＨの伝送を同時にスケジューリングするか、またはＫ２の値が与えられ、Ｎ個のＫ２値に基づいて決定されたＮ個のスロットにおいてＮ個のＰＵＳＣＨの伝送をスケジューリングする。すべてのスロットのＰＵＳＣＨのスケジューリング情報が同じでも異なっていても、各スロットのＰＵＳＣＨはが１つのＴＢでの反復伝送ではなく、独立したＴＢを搬送する。すなわち、１つのＰＤＣＣＨは、複数のスロットにおける複数のＰＵＳＣＨの伝送をスケジューリングするためのスケジューリング情報を同時に運ぶ。現時点では、ＤＣＩフォーマット０＿１のＤＡＩに従ってＰＵＳＣＨ上のＨＡＲＱ−ＡＣＫのコードブックを決定するための特定の方法はまだない。すなわち、反復送信が構成されたＰＵＳＣＨまたは同じＰＤＣＣＨによってスケジューリングされた複数のＰＵＳＣＨ上でＵＣＩを送信する方法は、現在のところ指定されていない。
【００６１】
これを考慮して、本発明の実施形態は、新規のＨＡＲＱ−ＡＣＫの送受信方法を提供する。この方法では、ＨＡＲＱ−ＡＣＨを運ぶＰＵＣＣＨが、第１のＰＵＳＣＨ以外の複数のＰＵＳＣＨと重ね合わされる場合、端末装置は、ＰＤＣＣＨに使用されるＤＣＩフォーマットのＤＡＩを無視して、複数のＰＵＳＣＨで運ばれるＨＡＲＱ−ＡＣＫを決定する。すなわち、新しいメカニズムが提供され、反復送信が構成されたＰＵＳＣＨまたは同じＰＤＣＣＨによってスケジューリングされた複数のＰＵＳＣＨ上でＨＡＲＱ−ＡＣＫを送信する方法が指定される。
【００６２】
本発明の実施形態によって提供される技術的解決策は、本明細書の添付の図面と組み合わせて以下に紹介される。
図１を参照すると、本発明の一実施形態は、ＨＡＲＱ−ＡＣＫの送信方法を提供し、その方法の流れは、以下のように説明される。  ＨＡＲＱ−ＡＣＫ送受信方式には、ネットワーク機器と端末機器とのインタラクションのプロセスが含まれるため、以下のフローの説明では、ネットワーク機器と端末機器が実行するプロセスについてまとめて説明する。
【００６３】
１つのＰＤＣＣＨによってスケジューリングされたＮ個ＰＵＳＣＨの伝送について、ＨＡＲＱ−ＡＣＨを運ぶＰＵＣＣＨは、ＨＡＲＱ−ＡＣＫを運ぶＰＵＣＣＨと複数のＰＵＳＣＨとの間の異なる重ね合わせ状況に従って、ＰＵＳＣＨ上で運ばれるＨＡＲＱ−ＡＣＨが互いに異なると決定される。本発明の実施形態では、ＨＡＲＱ−ＡＣＫを運ぶＰＵＣＣＨが第１のＰＵＳＣＨと重ね合わされるかどうかの決定に従って、ＰＵＳＣＨ上で運ばれるＨＡＲＱ−ＡＣＫを決定する方法は、２つの状況、すなわち、ステップＳ１０１およびＳ１０２を含む。
【００６４】
Ｓ１０１において、ＨＡＲＱ−ＡＣＫが１つのＰＤＣＣＨに対応する複数のＰＵＳＣＨにうちの第１のＰＵＳＣＨにおいて伝送される場合、ＰＤＣＣＨに使用されるＤＣＩフォーマットのＤＡＩに従がい、第１のＰＵＳＣＨ上で運ばれるＨＡＲＱ−ＡＣＫを決定する。
【００６５】
Ｓ１０２において、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、ＨＡＲＱ−ＡＣＫを決定するときＰＤＣＣＨに使用されるＤＣＩフォーマットのＤＡＩを無視する。
【００６６】
本発明の実施形態では、端末装置は、ＰＵＳＣＨ上で運ばれるＨＡＲＱ−ＡＣＫを決定し、次いで、Ｓ１０３において、決定されたＨＡＲＱ−ＡＣＫは、ＰＵＳＣＨ上で送信される。例えば、端末装置が、ステップＳ１０１の状況下で第１のＰＵＳＣＨ上で運ばれるＨＡＲＱ−ＡＣＫを決定した場合、ＨＡＲＱ−ＡＣＫは、第１のＰＵＳＣＨで送信される。ステップＳ１０２の状況下で、端末装置が、第１のＰＵＳＣＨ以外の他のＰＵＳＣＨ上で運ばれるＨＡＲＱ−ＡＣＫを決定すると、ＨＡＲＱ−ＡＣＫは他のＰＵＳＣＨで送信される。
【００６７】
本発明の実施形態では、複数のＰＵＳＣＨは、同じＰＵＳＣＨまたは伝送ブロック（ＴＢ）の反復伝送であり得る。すなわち、ＰＵＳＣＨの送信が、複数の送受信時間単位を占めるように構成されている場合、それぞれの時間単位でのＰＵＳＣＨは同じＴＢを運び、送受信時間単位はスロットまたはミニスロットであり得る。もちろん、送受信時間単位は他の定義された送受信時間単位であり得る。複数のＰＵＳＣＨはまた、同じＰＤＣＣＨによってスケジューリングされた複数の独立したＰＵＳＣＨの伝送であり得る。すなわち、複数のアップリンク伝送時間単位の組み合わされたスケジューリング、すなわち、１つのＰＤＣＣＨは、複数のＰＵＳＣＨに対応するスケジューリングシグナリングを同時に運ぶ。各ＰＵＳＣＨは独立したＴＢを伝送する。ＤＣＩフォーマットは、ＤＣＩフォーマット０＿１などの、ＤＡＩを含むＤＣＩフォーマットであり得る。
本発明の実施形態では、ＨＡＲＱ−ＡＣＫを決定するときに、ＰＤＣＣＨに使用されるＤＣＩフォーマットのＤＡＩを無視するための以下のモードがある。
【００６８】
第１のモード：ＨＡＲＱ−ＡＣＫは、対応するＰＤＣＣＨなしのＰＵＳＣＨ（すなわち、スケジューリングシグナリングなしのＰＵＳＣＨ、すなわち、ＵＬ  ｇｒａｎｔなしのＰＵＳＣＨ）でのＨＡＲＱ−ＡＣＫ送信のための決定された方法に従って決定される。
【００６９】
第２のモード：ＰＵＣＣＨでのＨＡＲＱ−ＡＣＫ伝送の決定モードに従がい、ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。すなわち、ＨＡＲＱ−ＡＣＨがＰＵＣＣＨ上で送受信されると想定され、ＨＡＲＱ−ＡＣＫのシーケンスは、対応するモードに従って決定され、ここで、ＰＵＣＣＨに対応するＨＡＲＱ−ＡＣＫの空間的バンドリングのための構成パラメータを、ＰＵＳＣＨに対応するＨＡＲＱ−ＡＣＫの空間バンドル用の構成パラメータでが置き換える。
【００７０】
第３のモード：半静的ＨＡＲＱ−ＡＣＫコードブックが使用される場合：
１）ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または
２）ＰＵＳＣＨ上でのＨＡＲＱ−ＡＣＫ伝送が必要とするダウンリンク伝送が１つだけ受信され、ダウンリンク伝送がＤＣＩフォーマット１＿０が使用されるＰＤＣＣＨによってスケジューリングされ、ＤＣＩフォーマット１＿０内のＤＡＩ＝１であるとき、または、ＰＵＳＣＨ上でのＨＡＲＱ−ＡＣＫ伝送が必要とするＳＰＳ  ＰＤＳＣＨが１つだけ受信されるとき、ＨＡＲＱ−ＡＣＫは、１つのダウンリンク伝送または１つのＳＰＳ  ＰＤＳＣＨのＨＡＲＱ−ＡＣＫ（すなわち、１ビットＨＡＲＱ−ＡＣＫのみ伝送される）である。さもないと、ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである。
【００７１】
第４のモード：半静的ＨＡＲＱ−ＡＣＫコードブックが使用される場合：
１）ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または
２）少なくとも１つのＰＵＳＣＨ上でのＨＡＲＱ−ＡＣＫ伝送が必要とするダウンリンク伝送が受信されるとき、  ＨＡＲＱ＿ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【００７２】
第５のモード：動的ＨＡＲＱ−ＡＣＫコードブックが使用される場合：
１）ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または
２）少なくとも１つのＰＵＳＣＨ上でのＨＡＲＱ−ＡＣＫ伝送が必要とするダウンリンク伝送またはＳＰＳ  ＰＤＳＣＨが受信されるとき、ＨＡＲＱ−ＡＣＫは、ダウンリンク伝送に対応するＰＤＣＣＨ内のＤＡＩに従がって決定された動的ＨＡＲＱ−ＡＣＫコードブックである。
【００７３】
第１のモードから第５のモードへの上記のダウンリンク伝送は、ＳＰＳ  ＰＤＳＣＨリリース（すなわち、ダウンリンクＳＰＳリソースのリリースを示すＰＤＣＣＨ）およびＰＤＳＣＨのうちの少なくとも１つであり得る。
【００７４】
理解の便宜を提供するために、本発明の実施形態によって提供される技術的解決策を、特定の実施形態として以下に紹介する。
第１に、ＨＡＲＱ−ＡＣＫがＰＵＳＣＨ上で送信されるシナリオが導入される：例えば、ＰＵＣＣＨおよびＰＵＳＣＨの同時伝送は、構成されていないか、またはサポートされておらず、ＨＡＲＱ−ＡＣＫを運ぶＰＵＣＣＨの時間領域リソースが、ＨＡＲＱ−ＡＣＫを運ぶＰＵＳＣＨの時間領域リソースと重ね合わされ、ＵＣＩ多重化（すなわち、ＵＣＩがＰＵＣＣＨからＰＵＳＣＨに転送され、ＰＵＣＣＨでの送信が実行されなくなる可能性がある）の時間条件を満足する。たとえば、ＰＵＣＣＨおよびＰＵＳＣＨのうちの最も早いチャネル（ＰＵＣＣＨとＰＵＳＣＨの開始シンボルが同じ場合、伝送長が最大のチャネルが選択され、開始シンボルと伝送長の両方が一貫している場合、ＰＵＣＣＨおよびＰＵＳＣＨのいずれかが選択される）の第１のシンボルの開始位置が特定の時間ポイントより早くない。ここで、時間ポイント１はＰＵＣＣＨでＨＡＲＱ−ＡＣＫフィードバックを必要とする最後１つのＰＤＳＣＨ／ＳＰＳ  ＰＤＳＣＨ  ｒｅｌｅａｓｅの最後１つのシンボルの後の所定の時間長に基づいて得られた位置である。ここで、時間ポイント２は、ＰＵＣＣＨでＨＡＲＱ−ＡＣＫフィードバックを必要とするＰＤＳＣＨ／ＳＰＳ  ＰＤＳＣＨ  ｒｅｌｅａｓｅに対応するＰＤＣＣＨの最後１つのシンボル後の所定の時間長に基づいて得られた位置である。
【００７５】
第１の実施形態：図２を参照すると、図２は、スケジューリングおよびフィードバックを示す概略図であり、上記のシナリオに適用される。図２は、例としてＦＤＤ（Ｆｒｅｑｕｅｎｃｙ  Ｄｉｖｉｓｉｏｎ  Ｄｕｐｌｅｘ）システムで説明されている。各スロットにはアップリンクリソースとダウンリンクリソースがあり、ＨＡＲＱ−ＡＣＫフィードバックのタイムシーケンス集合Ｋ１＝｛２，３，４，５，６｝、Ｋ１はスロットを単位として取ると想定される。そして、ＰＤＳＣＨの送信が実行されるスロットに従って、当該ＰＤＳＣＨ上でＨＡＲＱ−ＡＣＫを運ぶＰＵＣＣＨの伝送が実行されるスロットを決定するために使用される。各ダウンリンクスロットで最大１つのＰＤＳＣＨが伝送され、半静的（ｓｅｍｉ−ｓｔａｔｉｃ）  ＨＡＲＱ−ＡＣＫコードブックが使用されるように構成されていると仮定すると、Ｋ１集合およびＰＤＳＣＨの候補時間領域リソース集合（ＰＤＳＣＨの候補時間領域リソース集合は、複数の行を含む事前構成されたテーブルとして具体化され得、各行は、ＰＤＳＣＨが配置されているタイムスロット、およびスロット内の時間領域位置（開始シンボル位置およびシンボル長の構成情報など）に対応する。ここで、ＰＤＳＣＨが配置されているタイムスロットは、スケジューリングタイミングＫ０によって決定される。Ｋ０は、ＰＤＳＣＨをスケジューリングするためのＰＤＣＣＨと当該ＰＤＳＣＨ間のスロット間隔を示す。図２に示される各アップリンクスロットに対応するｓｅｍｉ−ｓｔａｔｉｃ  ｃｏｄｅｂｏｏｋに５つの可能のＰＤＳＣＨ伝送位置が含まれる。ＰＤＳＣＨそれぞれが１ビットＨＡＲＱ−ＡＣＫに対応すれば、スロットそれぞれに対応するｓｅｍｉ−ｓｔａｔｉｃ  ｃｏｄｅｂｏｏｋのサイズは５ビットである。基地局は、スロットｎ−１でＤＣＩフォーマット０＿１を採用するＰＤＣＣＨ（ＵＬ  ＧＲＡＮＴ）を送信して、端末装置がスロットｎからｎ＋３でＰＵＳＣＨの反復伝送を実行するようにスケジューリングすることが想定される。すなわち、各スロット内のＰＵＳＣＨが同じＴＢを運び、同じ時間周波数領域リソースとＭＣＳなどのパラメータを使用する。スロットｎに対応する候補ＰＤＳＣＨ機会集合（すなわち、スロットｎ−６からスロットｎ−２まで）にスロットｎにＨＡＲＱ−ＡＣＫフィードバックを必要とするＰＤＳＣＨ伝送がないと想定され、ネットワーク装置は、ＰＵＳＣＨをスケジューリングするためのＤＣＩフォーマット０＿１内の１ビットＤＡＩを０として、ＰＵＳＣＨにＨＡＲＱ−ＡＣＫがないことを示す。端末装置は、ＰＵＣＣＨとＰＵＳＣＨの同時伝送をサポートしていないか、構成されていないと想定され、ＨＡＲＱ−ＡＣＫは次の方法で決定される。
【００７６】
スロットｎにおいて、端末装置は、スロットｎにおいて、ＨＡＲＱ−ＡＣＫフィードバックを必要とするダウンリンク伝送またはＳＰＳ  ＰＤＳＣＨを受信してないし、ＰＵＳＣＨをスケジューリングするためのＤＣＩフォーマット０＿１内の１ビットＤＡＩが０であることに従がい、ＨＡＲＱ−ＡＣＫは、ＰＵＳＣＨ上で送信される必要がないと決定される。ダウンリンク伝送またはＳＰＳ  ＰＤＳＣＨを受信していないことは、半静的ＨＡＲＱ−ＡＣＫコードブックに対応するダウンリンク伝送機会集合（たとえば、図２のスロットｎ内の半静的ＨＡＲＱ−ＡＣＫコードブックに対応するダウンリンク伝送機会集合は、スロットｎ−６からスロットｎ−２までの各スロットに１つのダウンリンク伝送機会が存在し、合計５つのダウンリンク伝送機会があり、当該ダウンリンク伝送機会集合は、Ｋ１集合およびＰＤＳＣＨの候補時間領域リソース集合に従がって決定され、以下同様）に、ＰＵＳＣＨ上でＨＡＲＱ−ＡＣＫ伝送が必要とする（すなわち、ダウンリンク伝送に対応するＫ１の値に従ってＰＵＳＣＨが配置されているスロットでＨＡＲＱ−ＡＣＫフィードバックが実行されるかどうかが決定される。実行される場合、ＰＵＳＣＨ上でＨＡＲＱ−ＡＣＫ伝送が必要とするダウンリンク伝送であり、以下同様）ダウンリンク伝送を受信していないことを意味することに注意してください。
【００７７】
スロットｎ＋１において、ネットワーク装置のスケジューリングに従って、スロットｎ−５のＰＤＳＣＨは、スロットｎ＋１においてＨＡＲＱ−ＡＣＨフィードバックを必要とし、ＨＡＲＱ−ＡＣＫを運ぶＰＵＣＣＨリソースが、スロットｎ＋１におけるＰＵＳＣＨリソースと重ね合うと想定される。端末装置はＰＵＣＣＨとＰＵＳＣＨの同時伝送をサポートしていないか、構成されていないため、ＵＣＩ多重化の時間条件が満たされると、ＰＵＣＣＨのＨＡＲＱ−ＡＣＫはＰＵＳＣＨで送信するために転送する必要があり、ＰＵＣＣＨは送信されなくなる。そのとき、ＰＵＳＣＨの反復伝送をスケジューリングするＤＣＩフォーマット０＿１の１ビットＤＡＩの値が０であるかどうかは考慮されておらず、次のようにいくつかの方法がさらに提供される。
【００７８】
方法１：対応のＰＤＣＣＨがないＰＵＳＣＨでのＨＡＲＱ−ＡＣＫ伝送の決定モードに従がい、ＨＡＲＱ−ＡＣＫを決定する。つまり、対応するＰＤＣＣＨがＰＵＳＣＨをスケジューリングしない状況に従って処理が実行される。ダウンリンク伝送は１つしか受信されないため、当該ダウンリンク伝送がＤＣＩフォーマット１＿０でスケジューリングされ、かつＤＣＩフォーマット１＿０のＤＡＩ＝１の場合、ＰＵＳＣＨにおいて当該１つのダウンリンク伝送のみに対してＨＡＲＱ−ＡＣＫフィードバックが実行される。すなわち、上記の仮定に従って１ビットＨＡＲＱ−ＡＣＫ（ｓｅｍｉ−ｓｔａｔｉｃ  ｃｏｄｅｂｏｏｋ的ｆａｌｌｂａｃｋ）のみが伝送される。さもないと、すなわち、当該ダウンリンク伝送がＤＣＩフォーマット１＿０でスケジューリングされ、ＤＣＩフォーマット１＿０内のＤＡＩは１ではなく、または当該ダウンリンク伝送がＤＣＩフォーマット１＿０によってスケジューリングされず、または１つ以上のダウンリンク伝送および／またはＳＰＳ  ＰＤＳＣＨが受信される場合、スロットｎ＋１に対応するｓｅｍｉ−ｓｔａｔｉｃ  ｃｏｄｅｂｏｏｋのサイズに従がい、ＰＵＳＣＨでＨＡＲＱ−ＡＣＫを伝送する。すなわち、５ビットＨＡＲＱ−ＡＣＫを伝送する。ここで、ＮＡＣＫ（プレースホルダーとして機能）は、ＰＤＳＣＨが受信されない位置で生成される。
【００７９】
方法２：ＰＵＣＣＨでのＨＡＲＱ−ＡＣＫ伝送の決定モードに従がい、ＨＡＲＱ−ＡＣＫを決定する。具体的には、ＰＵＣＣＨ上でのＨＡＲＱ−ＡＣ送信のための決定された方式に従がい、ＰＵＣＣＨに対応するＨＡＲＱ−ＡＣＫの空間バンドリングの構成パラメータをＰＵＳＣＨに対応するＨＡＲＱ−ＡＣＫの空間バンドリングのための構成パラメータ置き換える。空間バンドリングは、第１の実施形態には含まれず、ＨＡＲＱ−ＡＣＫは、ＰＵＣＣＨでの送信方式に従って直接決定される。
【００８０】
具体的には、ダウンリンク伝送は１つしか受信されないため、当該ダウンリンク伝送がＤＣＩフォーマット１＿０でスケジューリングされ、かつ、ＤＣＩフォーマット１＿０においてＤＡＩ＝１であり、ＰＵＳＣＨにおいて当該１つのダウンリンク伝送のみに対してＨＡＲＱ−ＡＣＫフィードバックが実行される。すなわち、上記の仮定に従って１ビットＨＡＲＱ−ＡＣＫ（ｓｅｍｉ−ｓｔａｔｉｃ  ｃｏｄｅｂｏｏｋ的ｆａｌｌｂａｃｋ）のみが伝送される。当該ダウンリンク伝送がＤＣＩフォーマット１＿０でスケジューリングされ、ＤＣＩフォーマット１＿０内のＤＡＩは１ではなく、または当該ダウンリンク伝送がＤＣＩフォーマット１＿０によってスケジューリングされず、または１つ以上のダウンリンク伝送および／またはＳＰＳ  ＰＤＳＣＨが受信される場合、スロットｎ＋１に対応するｓｅｍｉ−ｓｔａｔｉｃ  ｃｏｄｅｂｏｏｋのサイズに従がい、ＰＵＳＣＨでＨＡＲＱ−ＡＣＫを伝送する。すなわち、５ビットＨＡＲＱ−ＡＣＫを伝送する。ここで、ＮＡＣＫ（プレースホルダーとして機能）は、ＰＤＳＣＨが受信されない位置で生成される。
【００８１】
方法３：ＨＡＲＱ−ＡＣＫは、１つのダウンリンク伝送のみが受信されるかどうかの判断、ならびに特定のＤＣＩフォーマットおよびＤＡＩの値に従って決定される。ダウンリンク伝送は１つしか受信されないため、当該ダウンリンク伝送がＤＣＩフォーマット１＿０によってスケジューリングされるかの判断、ＤＣＩフォーマット１＿０のＤＡＩが１であるかにって判断される。ＰＵＳＣＨで当該１つのダウンリンク伝送のＨＡＲＱ−ＡＣＫのみを伝送するかどうかの判断は、法１または２のステップと同様であり、その説明は、本明細書では省略されている。
【００８２】
方法４：スロットｎ＋１に対応するｓｅｍｉ−ｓｔａｔｉｃ  ｃｏｄｅｂｏｏｋに従って、常にＰＵＳＣＨでＨＡＲＱ−ＡＣＫを伝送する。すなわち、５ビットＨＡＲＱ−ＡＣＫを伝送する。ここで、ＮＡＣＫは、ＰＤＳＣＨが受信されない位置で生成される。
【００８３】
１つまたは複数のダウンリンク伝送の受信は、半静的ＨＡＲＱ−ＡＣＫコードブックに対応するダウンリンク伝送機会集合において、ＰＵＳＣＨ上でのＨＡＲＱ−ＡＣＫ伝送が必要とするダウンリンク伝送を受信することを意味することに留意されたい。
【００８４】
スロットｎ＋２において、ネットワーク装置のスケジューリングに従って、スロットｎ−４およびｎ−３におけるＰＤＳＣＨはスロットｎ＋２においてＨＡＲＱ−ＡＣＫをフィードバックする必要があり、ＨＡＲＱ−ＡＣＫを運ぶＰＵＣＣＨリソースが、スロットｎ＋２中的ＰＵＳＣＨリソースと重ね合わされると想定する。端末装置はＰＵＣＣＨとＰＵＳＣＨの同時伝送をサポートしていないか、構成されていないため、ＵＣＩ多重化の時間条件が満たされると、ＰＵＣＣＨのＨＡＲＱ−ＡＣＫはＰＵＳＣＨで送信するために転送する必要があり、ＰＵＣＣＨは送信されなくなる。そのとき、ＰＵＳＣＨの反復伝送をスケジューリングするＤＣＩフォーマット０＿１の１ビットＤＡＩの値が０であるかどうかは考慮されておらず、ＨＡＲＱ−ＡＣＫは次の方法で決定される。
【００８５】
方法１：対応のＰＤＣＣＨがないＰＵＳＣＨでのＨＡＲＱ−ＡＣＫ伝送の決定モードに従がい、ＨＡＲＱ−ＡＣＫを決定する。つまり、対応するＰＤＣＣＨがＰＵＳＣＨをスケジューリングしない状況に従って処理が実行される。複数のダウンリンク伝送が受信されたため、スロットｎ＋２に対応するｓｅｍｉ−ｓｔａｔｉｃ  ｃｏｄｅｂｏｏｋに従って、ＰＵＳＣＨでＨＡＲＱ−ＡＣＫを伝送することを決定する。すなわち、５ビットＨＡＲＱ−ＡＣＫを伝送する。ここで、ＮＡＣＫは、ＰＤＳＣＨが受信されない位置で生成される。
【００８６】
方法２：ＰＵＣＣＨ上でのＨＡＲＱ−ＡＣ送信のための決定された方式に従がい、ＰＵＣＣＨに対応するＨＡＲＱ−ＡＣＫの空間バンドリングの構成パラメータをＰＵＳＣＨに対応するＨＡＲＱ−ＡＣＫの空間バンドリングのための構成パラメータ置き換える。空間バンドリングは、第１の実施形態には含まれず、ＨＡＲＱ−ＡＣＫは、ＰＵＣＣＨでの送信方式に従って直接決定される。
【００８７】
複数のダウンリンク伝送が受信されたため、スロットｎ＋１に対応するｓｅｍｉ−ｓｔａｔｉｃ  ｃｏｄｅｂｏｏｋに従って、ＰＵＳＣＨでＨＡＲＱ−ＡＣＫを伝送する。すなわち、５ビットＨＡＲＱ−ＡＣＫを伝送する。ここで、ＮＡＣＫは、ＰＤＳＣＨが受信されない位置で生成される。
【００８８】
方法３：ＨＡＲＱ−ＡＣＫは、１つのダウンリンク伝送のみが受信されるかどうかの判断、ならびに特定のＤＣＩフォーマットおよびＤＡＩの値に従って決定される。複数のダウンリンク伝送が受信されたため、スロットｎ＋１に対応するｓｅｍｉ−ｓｔａｔｉｃ  ｃｏｄｅｂｏｏｋに従って、ＰＵＳＣＨでＨＡＲＱ−ＡＣＫを伝送する。すなわち、５ビットＨＡＲＱ−ＡＣＫを伝送する。ここで、ＮＡＣＫは、ＰＤＳＣＨが受信されない位置で生成される。
【００８９】
方法４：スロットｎ＋１に対応するｓｅｍｉ−ｓｔａｔｉｃ  ｃｏｄｅｂｏｏｋに従って、常にＰＵＳＣＨでＨＡＲＱ−ＡＣＫを伝送する。すなわち、５ビットＨＡＲＱ−ＡＣＫを伝送する。ここで、ＮＡＣＫは、ＰＤＳＣＨが受信されない位置で生成される。
【００９０】
１つまたは複数の受信されたダウンリンク伝送の受信は、半静的ＨＡＲＱ−ＡＣＫコードブックに対応するダウンリンク伝送機会集合において、ＰＵＳＣＨ上でのＨＡＲＱ−ＡＣＫ伝送が必要とするダウンリンク伝送を受信することを意味することに留意されたい。
スロットｎ＋３で使用される方法は、スロットｎ＋１で使用される方法と同様であるため、本明細書で繰り返して説明しない。
【００９１】
ネットワーク装置の場合、ネットワーク装置は、上記と同様の方法で、ＰＡＳＣＨ上にＨＡＲＱ−ＡＣＫが存在するかどうか、および各スロット内のＨＡＲＱ−ＡＣＫのビットを判定し、さらに、ＰＵＳＣＨでＨＡＲＱ−ＡＣＫを受信する。
【００９２】
第１の実施形態から知られているように、ＰＵＳＣＨをスケジューリングするためのＤＣＩフォーマット０＿１（すなわち、ＵＬ  ｇｒａｎｔ）のＤＡＩ＝０という状況が、各ＰＵＳＣＨの反復伝送のスロットにおいて考慮される場合、スロットでＨＡＲＱ−ＡＣＫフィードバックを必要とする実際に存在するダウンリンク伝送と矛盾する。ＵＬ  ｇｒａｎｔのＤＡＩ＝０を参考すれば、反復伝送が実行される後続の各ＰＵＳＣＨにＨＡＲＱ−ＡＣＫ伝送が存在しない可能性があることを意味する。これは、ダウンリンクのスケジューリングとスループットに大きな影響を与える。本発明の実施形態では、ＤＡＩの値を考慮せず、ダウンリンク伝送の実際の要求に応じてＨＡＲＱ−ＡＣＫフィードバックを直接行うことで、上記の問題を回避することができる。
【００９３】
さらに、ＵＬ  ｇｒａｎｔの１ビットＤＡＩが１として示され、対応するダウンリンク伝送が受信されないスロットが後続のスロットｎ＋１、ｎ＋２およびｎ＋３に存在する場合、当該スロットのＰＵＳＣＨにおいて、常にＵＬ  ｇｒａｎｔのＵＬ  ＤＡＩでＨＡＲＱ−ＡＣＫを決定すると、冗長ＨＡＲＱ−ＡＣＫ伝送になってしまう。すなわち、端末装置は、ＵＬ  ＤＡＩによって示された情報に従ってプレースホルダーとして機能するＮＡＣＫ伝送を生成する必要がある。ただし、ＵＬ  ＤＡＩでは、実際には対応するダウンリンク伝送がないため、アップリンク伝送伝送とシステムの効率が低下する。本発明の実施形態では、ＤＡＩの値を考慮せず、ダウンリンク伝送の実際の要求に応じてＨＡＲＱ−ＡＣＫフィードバックを直接行うことで、上記の問題を回避することができる。
【００９４】
第２の実施形態：図３を参照すると、図３は、スケジューリングおよびフィードバックを示す概略図であり、上記のシナリオに適用される。図３は、例としてＦＤＤ（Ｆｒｅｑｕｅｎｃｙ  Ｄｉｖｉｓｉｏｎ  Ｄｕｐｌｅｘ）システムでも説明されている。キャリアが１つだけ構成され、ＨＡＲＱ−ＡＣＫフィードバックのタイムシーケンス集合Ｋ１が｛４，５，６，７｝に等しく、Ｋ１がスロットを１つの単位として受け取り、ＰＤＳＣＨの送信が実行されるスロットに従って、当該ＰＤＳＣＨのＨＡＲＱ−ＡＣＫを運ぶＰＵＣＣＨ伝送が実行されるスロットを決定する。各ダウンリンクスロットで最大１つのＰＤＳＣＨが送信され、ｙｎａｍｉｃ  ＨＡＲＱ−ＡＣＫ  Ｃｏｄｅｂｏｏｋが使用されるように構成される。Ｋ１集合、ＰＤＳＣＨの候補時間領域リソース集合（すなわち、事前構成されたリソーステーブル内の情報が様々な時間領域位置およびＫ０情報を含む）に従って決定され得る。Ｋ０＝０は、本明細書において単純化のために仮定される。図３に示す各アップリンクスロットに対応するｄｙｎａｍｉｃ  ｃｏｄｅｂｏｏｋに対応するＰＤＣＣＨ  ｍｏｎｉｔｏｒｉｎｇ  ｏｃｃａｓｉｏｎ集合が決定されることが出いる。当該集合は４つの可能なＰＤＣＣＨ監視位置を含み、ＰＤＣＣＨ監視位置のそれぞれでＰＤＣＣＨを受信することが可能であり、さらに、当該ＰＤＣＣＨに含まれるＰＤＳＣＨ時間領域リソース指示フィールドに従がってＰＤＳＣＨの候補時間領域リソース集合のうちの１つを決定することができる。当該１つの時間領域リソースは、ＰＤＳＣＨの時間領域位置およびＰＤＳＣＨ伝送が実行されるスロット（Ｋ０に従がってスロットを決定する）を含む。もちろん、ＰＤＳＣＨの候補時間領域リソース集合内のすべての候補ＰＤＳＣＨ時間領域リソースは、同じまたは異なるＫ０値を有し得る。各ＰＤＳＣＨは１ビットＨＡＲＱ−ＡＣＫに対応すると想定され、アップリンクスロットに対応するＰＤＣＣＨ  ｍｏｎｉｔｏｒｉｎｇ  ｏｃｃａｓｉｏｎ集合において受信されたＰＤＳＣＨ伝送をスケジューリングするためのＰＤＣＣＨまたはダウンリンクＳＰＳリソースリリースを示すＰＤＣＣＨ、および上記ＰＤＣＣＨに含まれるＤＡＩ値に従がって１つのアップリンクスロットに対応するｄｙｎａｍｉｃ  ｃｏｄｅｂｏｏｋのサイズを決定する。具体的には、シングルキャリアの状況では、上記のＰＤＣＣＨには２ビットのＤＡＩのみが含まれ、ＤＡＩは時間領域のスケジューリング順序に従って累積的に増加する。次に、受信した最後１つのＰＤＣＣＨ内のＤＡＩに従がってアップリンクスロットに対応するＰＤＳＣＨおよびＳＰＳリソースリリースを示すＰＤＣＣＨ数を知ることができ、当該アップリンクスロット内のＨＡＲＱ−ＡＣＫ  Ｃｏｄｅｂｏｏｋサイズをも取得できる。ネットワーク装置がスロットｎ−１において、ＤＣＩフォーマット０＿１が採用されるＰＤＣＣＨ（ＵＬ  ｇｒａｎｔ）を送信して、端末装置がスロットｎからｎ＋３でＰＵＳＣＨの反復伝送を実行するようにスケジューリングする、つまりＰＵＳＣＨを送信すると想定される。すなわち、各スロット内のＰＵＳＣＨが同じＴＢを運び、同じ時間周波数領域リソースとＭＣＳなどのパラメータを使用する。アップリンクスロットｎに対応するＰＤＣＣＨ  ｍｏｎｉｔｏｒｉｎｇ  ｏｃｃａｓｉｏｎ集合（すなわち、スロットｎ−７からスロットｎ−４まで）に、アップリンクスロットｎでＨＡＲＱ−ＡＣＫフィードバックを必要とする３つのＰＤＳＣＨ送信をそれぞれスケジューリングする３つのＰＤＣＣＨが存在すると想定される。ネットワーク装置は、スロットｎ−１において送信されたＰＵＳＣＨをスケジューリングするためのＤＣＩフォーマット０＿１の２ビットＤＡＩを３（コードブックのさまざまなＵＬ  ｇｒａｎｔに含まれるＵＬ  ＤＡＩのさまざまなビットに従って）とし、ＰＵＳＣＨに、３つのＰＤＳＣＨに対応するフィードバックＨＡＲＱ−ＡＣＫフィードバックが存在することをしめす。端末装置は、ＰＵＣＣＨとＰＵＳＣＨの同時伝送をサポートしていないか、構成されていないと想定され、ＨＡＲＱ−ＡＣＫは次の方法で決定される。
【００９５】
スロットｎにおいて、端末装置は、スロットｎにおいてＨＡＲＱ−ＡＣＫフィードバックを必要とする３つのダウンリンク伝送を受信し、最後１つのダウンリンク伝送におけるＤＬ  ＤＡＩ（すなわち、ダウンリンク伝送においてＰＤＣＣＨをスケジューリングするためのＤＡＩ）は、３として示される。ＨＡＲＱ−ＡＣＫを運ぶＰＵＣＣＨリソースがスロットｎ＋１におけるＰＵＳＣＨリソースと重ね合わされていると想定される。端末装置はＰＵＣＣＨとＰＵＳＣＨの同時伝送をサポートしていないか、構成されていないため、ＰＵＣＣＨのＨＡＲＱ−ＡＣＫはＰＵＳＣＨで送信するために転送する必要があり、ＰＵＣＣＨは送信されなくなる。また、端末装置は、ＰＵＳＣＨをスケジューリングするためのＤＣＩフォーマット０＿１の２ビットＵＬ  ＤＡＩに従がって、アップリンク伝送のＰＤＣＣＨ内のＤＡＩを３としてスケジューリングし、実際にダウンリンク伝送を受信した量と同一であり、その後、ＰＵＳＣＨで３ビットＨＡＲＱ−ＡＣＫを伝送する（各ＰＤＳＣＨは１ビットＨＡＲＱ−ＡＣＫに対応すると想定され、もちろん、他の実施形態では、各ＰＤＳＣＨは、ＰＤＳＣＨの伝送に応じて複数ビットＨＡＲＱ−ＡＣＫに対応するように構成できる）。特に、端末装置がスロットｎ−５でＰＤＣＣＨを失った場合、最後に受信されたダウンリンク伝送（スロットｎ−６）のＤＬ  ＤＡＩに従がって、ダウンリンク伝送は２つだけであると判断される。この際、ＵＬ  ＤＡＩ（３としてしめされ、１つのダウンリンク伝送が失われ他と判断され、ＵＬＤＡに従って、ＰＵＳＣＨ上のＨＡＲＱ−ＡＣＫフィードバックのために３つのダウンリンク伝送が必要である。すなわち、３ビットＨＡＲＱ−ＡＣＫが生成されてＰＵＳＣＨ上で伝送される。ここで、最後の１ビットは、パケット損失を伴うダウンリンク伝送を判断するためのＨＡＲＱ−ＡＣＫとしてＮＡＣＫが生成される。
【００９６】
スロットｎ＋１において、ネットワーク装置のスケジューリングに従って、スロットｎ−４およびｎ−３のＰＤＳＣＨは、スロットｎ＋１においてＨＡＲＱ−ＡＣＫフィードバックを実行する必要がある。最後に受信したＰＤＣＣＨのＤＬ  ＤＡＩ＝２に従がって、２つのみのダウンリンク伝送がスロットｎ＋１においてＨＡＲＱ−ＡＣＫフィードバックを実行する必要があると判断する。ＨＡＲＱ−ＡＣＫを運ぶＰＵＣＣＨリソースが、スロットｎ＋１におけるＰＵＳＣＨリソースと重ね合わされていると想定される。端末装置はＰＵＣＣＨとＰＵＳＣＨの同時伝送をサポートしていないか、構成されていないため、ＰＵＣＣＨのＨＡＲＱ−ＡＣＫはＰＵＳＣＨで送信するために転送する必要があり、ＰＵＣＣＨは送信されなくなる。この際、ＰＵＳＣＨの反復伝送をスケジューリングするＤＣＩフォーマット０＿１の２ビットＤＡＩ値は考慮されておらず、ＨＡＲＱ−ＡＣＫを決定するためのいくつかの方法がさらに以下のように提供される。
【００９７】
方法１：対応のＰＤＣＣＨがないＰＵＳＣＨでのＨＡＲＱ−ＡＣＫ伝送の決定モードに従がい、ＨＡＲＱ−ＡＣＫを決定する。すなわち、対応するＰＤＣＣＨがＰＵＳＣＨをスケジューリングしない状況に従って処理が実行される。すなわち、直接に、スロットｎ＋１に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋１におけるＰＵＳＣＨで伝送する必要があるＨＡＲＱ−ＡＣＫビット数を決定する。すなわち、このとき、２ビットＨＡＲＱ−ＡＣＫが生成される。
【００９８】
方法２：ＰＵＣＣＨ上でのＨＡＲＱ−ＡＣ送信のための決定された方式に従がい、ＰＵＣＣＨに対応するＨＡＲＱ−ＡＣＫの空間バンドリングの構成パラメータをＰＵＳＣＨに対応するＨＡＲＱ−ＡＣＫの空間バンドリングのための構成パラメータ置き換える。第２の実施形形態では、空間バンドリングは関与せず、したがって、端末装置は、直接に、スロットｎ＋１に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋１におけるＰＵＳＣＨで伝送する必要があるＨＡＲＱ−ＡＣＫビット数を決定する。すなわち、このとき、２ビットＨＡＲＱ−ＡＣＫが生成される。
【００９９】
方法３：コードブックは、ダウンリンクＤＣＩフォーマットを使用して、ＰＤＣＣＨ内のＤＡＩに従って常に決定される。すなわち、直接に、スロットｎ＋１に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋１におけるＰＵＳＣＨで伝送する必要があるＨＡＲＱ−ＡＣＫビット数を決定する。すなわち、このとき、２ビットＨＡＲＱ−ＡＣＫが生成される。
【０１００】
スロットｎ＋２において、ネットワーク装置のスケジューリングに従って、スロットｎ−２のＰＤＳＣＨは、スロットｎ＋２においてＨＡＲＱ−ＡＣＫフィードバックを実行する必要がある。ＨＡＲＱ−ＡＣＫを運ぶＰＵＣＣＨリソースがスロットｎ＋２のＰＵＳＣＨリソースと重ね合わされていると想定される。端末装置はＰＵＣＣＨとＰＵＳＣＨの同時伝送をサポートしていないか、構成されていないため、端末装置ＰＵＣＣＨのＨＡＲＱ−ＡＣＫはＰＵＳＣＨで送信するために転送する必要があり、ＰＵＣＣＨは送信されなくなる。そのとき、ＰＵＳＣＨの反復伝送をスケジューリングするＤＣＩフォーマット０＿１の２ビットＤＡＩ値を考慮せず、ＨＡＲＱ−ＡＣＫを決定する、次のようにいくつかの方法がさらに提供される。
【０１０１】
方法１：対応のＰＤＣＣＨがないＰＵＳＣＨでのＨＡＲＱ−ＡＣＫ伝送の決定モードに従がい、ＨＡＲＱ−ＡＣＫを決定する。すなわち、対応するＰＤＣＣＨがＰＵＳＣＨをスケジューリングしない状況に従って処理が実行される。すなわち、スロットｎ＋２に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋１におけるＰＵＳＣＨで伝送する必要があるＨＡＲＱ−ＡＣＫビット数を決定する。すなわち、このとき、１ビットのＨＡＲＱ−ＡＣＫが生成される。
【０１０２】
方法２：ＰＵＣＣＨ上でのＨＡＲＱ−ＡＣ送信のための決定された方式に従がい、ＰＵＣＣＨに対応するＨＡＲＱ−ＡＣＫの空間バンドリングの構成パラメータをＰＵＳＣＨに対応するＨＡＲＱ−ＡＣＫの空間バンドリングのための構成パラメータ置き換える。第２の実施形形態では、空間バンドリングは関与せず、したがって、端末装置は、直接に、スロットｎ＋２に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋１におけるＰＵＳＣＨで伝送する必要があるＨＡＲＱ−ＡＣＫビット数を決定する。すなわち、このとき、１ビットのＨＡＲＱ−ＡＣＫが生成される。
【０１０３】
方法３：コードブックは、ダウンリンクＤＣＩフォーマットを使用して、ＰＤＣＣＨ内のＤＡＩに従って常に決定される。すなわち、ＰＵＣＣＨ条での伝送方式で、ＨＡＲＱ−ＡＣＫを直接に決定する。つまり、スロットｎ＋２に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋１におけるＰＵＳＣＨで伝送する必要があるＨＡＲＱ−ＡＣＫビット数を決定する。すなわち、このとき、１ビットのＨＡＲＱ−ＡＣＫが生成される。
【０１０４】
第４の状況：ＨＡＲＱ−ＡＣＫフィードバックを必要とするダウンリンク伝送がスロットｎ＋３で受信されない場合、ＰＵＣＣＨおよびＰＵＳＣＨの重ねられた送信が存在せず、ＰＵＳＣＨの反復伝送をスケジューリングするＤＣＩフォーマット０＿１の２ビットＤＡＩ値を考慮しない。ＨＡＲＱ−ＡＣＫはＰＵＳＣＨで送信されない。このとき、上記の方法１、方法２、方法３のいずれを採用しても、ＰＵＳＣＨではＨＡＲＱ−ＡＣＫが送信されていないと判断される。
【０１０５】
ネットワーク装置の場合、ネットワーク装置は、上記と同じ方法に従って、ＨＡＲＱ−ＡＣＫがＰＵＳＣＨ上に存在するかどうか、およびＨＡＲＱ−ＡＣＫのビットが各スロット内に存在するかどうかを決定し、さらに、ＰＵＳＣＨでＨＡＲＱ−ＡＣＫを受信する。
【０１０６】
上記の第２の実施形態では、１つまたは複数のダウンリンク伝送の受信は、動的ＨＡＲＱ−ＡＣＫコードブックに対応するＰＤＣＣＨ監視機会集合（ＰＤＣＣＨ監視機会集合は、Ｋ１集合、ＰＤＳＣＨ候補時間領域リソース集合内のＫ０集合に従がって決定される。たとえば、例えば、スロットｎが例として使用され、Ｋ１集合に従がってＰＤＳＣＨ伝送機会がｎ−Ｋ１であることを決定できる。すなわち、スロットｎ−７からｎ−４まで、Ｋ０の唯一の値は０であると仮定され、ＰＤＳＣＨ伝送機会に従がって、これらのＰＤＳＣＨ伝送機会伝送をスケジューリングするためのＰＤＣＣＨがｎ−Ｋ１−Ｋ０であることを決定する。すなわち、スロットｎ−７からｎ−４まで、図３に示すように、Ｋ０に他の値がある場合、決定されたＰＤＣＣＨ監視機会集合は、より大きくなる可能性があり、たとえば、Ｋ０＝｛０，１｝であり、スロットｎ−７からｎ−４までのＰＤＳＣＨ伝送機会に従がって決定されたＰＤＣＣＨ監視機会は、スロットｎ−８からスロットｎ−４までである）で受信されることを意味することに留意されたい。これらのダウンリンク伝送は、これらのダウンリンク伝送に対応するＫ１に従ってＰＵＳＣＨが配置されているスロットにおいてＨＡＲＱ−ＡＣＨフィードバックを必要とするように決定される。すなわち、これらのダウンリンク伝送には、ＰＵＳＣＨでのＨＡＲＱ−ＡＣＫの伝送が必要である。
【０１０７】
第２の実施形態によれば、後続の反復伝送の場合、スロットｎ＋１、ｎ＋２およびｎ＋３のＰＵＳＣＨにおいて、ＰＵＳＣＨをスケジューリングするためのＤＣＩフォーマット０＿１の２ビットＤＡＩ＝３を考慮すれば、３ビットのＨＡＲＱ−ＡＣＫを常に伝送する必要があるが、実際に存在するダウンリンク伝送に必要なスロットのＨＡＲＱ−ＡＣＫフィードバックとは矛盾する。ＰＵＳＣＨをスケジューリングするためのＤＣＩフォーマット０＿１のＤＡＩ＝３を参考すると、後続の反復伝送で各ＰＵＳＣＨに、実際のダウンリンク要求よりも多いＨＡＲＱ−ＡＣＫの冗長ビットを生成して、伝送する必要があり、アップリンク伝送とシステムの効率が低減され、アップリンク伝送のオーバーヘッドも増加する。本発明の実施形態では、ＤＡＩの値を考慮せず、ダウンリンク伝送の実際の要求に応じてＨＡＲＱ−ＡＣＫフィードバックを直接行うことで、上記の問題を回避することができる。
【０１０８】
さらに、第２の実施形態では、ＵＬ  ｇｒａｎｔの２ビットＤＡＩが１などの比較的小さい値を示す場合、。スロットｎ＋１およびｎ＋２において、ＵＬ  ｇｒａｎｔによって示されるダウンリンク伝送の数は、実際に受信されたダウンリンクの数よりも少ない。ＵＬ  ｇｒａｎｔの２ビットＵＬ  ＤＡＩに従がってＨＡＲＱ−ＡＣＫを決定する場合、ＨＡＲＱ−ＡＣＫフィードバックはダウンリンク伝送の一部に存在しないため、ダウンリンクスループットおよびシステムの効率に影響を与える。本発明の実施形態では、ＤＡＩの値を考慮せず、ダウンリンク伝送の実際の要求に応じてＨＡＲＱ−ＡＣＫフィードバックを直接行うことで、上記の問題を回避することができる。
【０１０９】
上記の第１および第２の実施形態では、Ｋ１は、ダウンリンク伝送に対応するＰＤＣＣＨ内の指示フィールドによって動的に示される値として例示されることに留意されたい。さらに、Ｋ１は、事前に定義されるか、または高位層シグナリング事前構成される。このとき、各ダウンリンク伝送には１つのみの固定のフィードバックタイミングが提供されるが、当該タイミングの定義は、上記解決策の実行に影響を与えない。上記の第１および第２の実施形態では、ダウンリンク伝送は、例としてＰＤＳＣＨのみで説明され、ＰＤＳＣＨの１つまたはすべてが、ダウンリンクＳＰＳリソースリリースを示すＰＤＣＣＨで置き換えられる場合にも適用可能である。ダウンリンクに対応するＰＤＣＣＨは、すなわち、ダウンリンクＳＰＳリソースリリースを示すＰＤＣＣＨです。ＦＤＤは、上記の第１および第２の実施形態における例として説明され、それがＴＤＤである場合、これらの実施形態にも適用可能であり、唯一の違いは、ｓｅｍｉ−ｓｔａｔｉｃ  ｃｏｄｅｂｏｏｋによって決定されるＰＤＳＣＨ候補集合は必ずしも連続スロットに配置されているとは限らず、ｄｙｎａｍｉｃ  ｃｏｄｅｂｏｏｋによって決定されたＰＤＣＣＨ  ｍｏｎｉｔｏｒｉｎｇ  ｏｃｃａｓｉｏｎ集合も必ずしも連続スロットに配置されているとは限らない。あるスロットにダウンリンク伝送リソースが存在しないか、またはダウンリンク伝送リソースがＰＤＳＣＨの候補時間領域リソースサイズをサポートできない場合、これらのスロットが削除される可能性がある。シングルキャリアは、上記の第１および第２の実施形態における例としてのみ記載されており、マルチキャリアも適用可能である。第１の実施形態では、ｓｅｍｉ−ｓｔａｔｉｃ  ｃｏｄｅｂｏｏｋが使用される場合、各キャリアについてコードブックが決定され、次に、コードブックが一緒にカスケードされて、最終的なコードブックが得られる。第２の実施形態では、ｄｙｎａｍｉｃ  ｃｏｄｅｂｏｏｋが使用される場合、すべてのキャリア上のＰＤＣＣＨ監視機会集合は、各キャリア上の候補ＰＤＳＣＨ時間領域リソース（Ｋ０を含む）およびＫ１集合に従がって、すべてのキャリア上のＰＤＣＣＨ  ｍｏｎｉｔｏｒｉｎｇ  ｏｃｃａｓｉｏｎ集合を決定する。ダウンリンク伝送をスケジューリングするＰＤＣＣＨに４ビットＤＡＩが含まれ、２ビットはＣ−ＤＡＩとして使用され、最初に周波数領域、次に時間領域でのダウンリンク伝送の累積スケジューリングカウントを示し、他の２ビットは、Ｔ−ＤＡＩとして使用され、現在の時刻に、累積的にスケジューリングされたダウンリンク伝送の合計量を示す。したがって、マルチキャリアに対応する動的コードブックは、Ｃ−ＤＡＩおよびＴ−ＤＡＩに従って最終的に取得することができる。サブコードブック（ＴＢに基づくダウンリンク伝送とＣＢＧに基づくダウンリンク伝送のそれぞれのコードブック）が採用されている場合、ＰＵＳＣＨをスケジューリングするためのＰＤＣＣＨには４ビットＵＬ  ＤＡＩが含まれ、２ビットは、ＴＢベースのサブコードブックに対応し、２ビットは、ＣＢＧのベースのサブコードブックに対応し、それぞれ対応するサブコードブック内のダウンリンク伝送の合計量を示す。このとき、ＰＵＳＣＨで伝送するＨＡＲＱ−ＡＣＫを生成する方法も適用できる。上記の第１および第２の実施形態では、１つのＵＬ  ｇｒａｎｔがスロットｎからｎ＋３への４つのＰＵＳＣＨの送信を同時にスケジューリングし、独立したＴＢがそれぞれ４つのＰＵＳＣＨ上で送信される（すなわち、同じＴＢの反復伝送ではなく）場合、たとえば、４つのＰＵＳＣＨは同じスケジューリング情報に対応するが、異なるＴＢで伝送される。たとえば、当該１つのＵＬ  ｇｒａｎｔで使用されるＤＣＩには、４つのスロットのそれぞれに対応する複数の独立した指示フィールドが含まれる。４つのスロットは異なる場合があり、上記の方法も適用できる。
【０１１０】
本発明の実施形態によって提供されるＨＡＲＱ−ＡＣＫの伝送方法は、同じＰＤＣＣＨがＮ個の独立したＰＵＳＣＨの送信に対して共同スケジューリングを実行する状況にも適していることに留意されたい。たとえば、ＨＡＲＱ−ＡＣＨを運ぶＰＵＣＣＨが第１のＰＵＳＣＨと重ね合わされる場合、ＰＤＣＣＨに使用されるＤＣＩフォーマットのＤＡＩに従がい、当該ＰＵＳＣＨ上で運ばれるＨＡＲＱ−ＡＣＫを決定する。ＨＡＲＱ−ＡＣＨを運ぶＰＵＣＣＨが第１のＰＵＳＣＨ以外のＰＵＳＣＨと重ね合わされる場合、ＰＤＣＣＨに使用されるＤＣＩフォーマットのＤＡＩを無視し、ＰＵＣＣＨでＨＡＲＱ−ＡＣＫを伝送する方式で，当該ＰＵＳＣＨ上で運ばれるＨＡＲＱ−ＡＣＫを決定する。
【０１１１】
上記に基づき、本発明の実施形態では、ＨＡＲＱ−ＡＣＨを運ぶＰＵＣＣＨが、第１のＰＵＳＣＨ以外の複数のＰＵＳＣＨと重ね合わされる場合、端末装置は、ＰＤＣＣＨに使用されるＤＣＩフォーマットのＤＡＩを無視して、複数のＰＵＳＣＨで運ばれるＨＡＲＱ−ＡＣＫを決定する。すなわち、新しいメカニズムが提供され、反復送信が構成されたＰＵＳＣＨまたは同じＰＤＣＣＨによってスケジューリングされた複数のＰＵＳＣＨ上でＨＡＲＱ−ＡＣＫを送信する方法が指定される。
本発明の実施形態によって提供される装置は、本明細書の添付の図面と組み合わせて以下に紹介される。
【０１１２】
図４を参照すると、同じ本発明の思想に基づいて、本発明の実施形態は、端末装置を提供する。当該端末装置は、メモリ４０１、プロセッサ４０２、および送受信機４０３を含み、メモリ４０１および送受信機４０３は、バスインターフェース（によってプロセッサ４０２に接続され得る図４で例として使用される）か、または特別な接続ワイヤによってプロセッサ４０２に接続させる。
【０１１３】
ここで、メモリ４０１は、プログラムを格納するように構成することができる。送受信機４０３は、前記プロセッサの制御下でデータを送受信するように構成される。プロセッサ４０２は、メモリ４０１内のプログラムを読み取り、以下のプロセスを実行するように構成され得る：ＨＡＲＱ−ＡＣＫがＰＤＣＣＨに対応する複数のＰＵＳＣＨのうちの第１のＰＵＳＣＨ以外の少なくとも１つのＰＵＳＣＨ上で伝送される場合、ＨＡＲＱ−ＡＣＫを決定するときＰＤＣＣＨに使用されるＤＣＩフォーマットのＤＡＩを無視する。少なくとも１つのＰＵＳＣＨ上で決定されたＨＡＲＱ−ＡＣＫを伝送する。
【０１１４】
任意選択で、複数のＰＵＳＣＨは、同じＰＵＳＣＨまたは伝送ブロックＴＢの反復伝送であり、または、複数のＰＵＳＣＨは、同じＰＤＣＣＨによってスケジューリングされた複数の独立したＰＵＳＣＨの伝送である。
任意選択で、ＤＣＩフォーマットは、ＤＣＩフォーマット０＿１である。
【０１１５】
任意選択で、プロセッサ４０２は具体的に、対応のＰＤＣＣＨがないＰＵＳＣＨでのＨＡＲＱ−ＡＣＫ伝送の決定モードに従がい、ＨＡＲＱ−ＡＣＫを決定し、または、ＰＵＣＣＨでのＨＡＲＱ−ＡＣＫ伝送の決定モードに従がい、ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１１６】
任意選択で、プロセッサ４０２は具体的に、半静的ＨＡＲＱ−ＡＣＫコードブックが使用される場合、ＰＵＳＣＨ上でのＨＡＲＱ−ＡＣＫ伝送が必要とするダウンリンク伝送または半永続的スケジューリング（ＳＰＳ）ＰＤＳＣＨが受信されていない場合、ＰＵＳＣＨ上でＨＡＲＱ−ＡＣＫの送信がないことを決定し、および／または、ＰＵＳＣＨ上でのＨＡＲＱ−ＡＣＫ伝送が必要とするダウンリンク伝送が１つだけ受信され、ダウンリンク伝送がＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ受信されるとき、ＨＡＲＱ−ＡＣＫは、１つのダウンリンク伝送または１つのＳＰＳ  ＰＤＳＣＨのＨＡＲＱ−ＡＣＫである。さもないと、ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである。
【０１１７】
任意選択で、プロセッサ４０２は具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送が受信されるとき、ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１１８】
任意選択で、プロセッサ４０２は具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送またはＳＰＳ  ＰＤＳＣＨが受信されるとき、ＨＡＲＱ−ＡＣＫは、ダウンリンク伝送に対応するＰＤＣＣＨ内のＤＡＩに従がって決定された動的ＨＡＲＱ−ＡＣＫコードブックである。
【０１１９】
任意選択で、ダウンリンク伝送は、ＰＤＳＣＨまたは半永続スケジューリング（ＳＰＳ）ＰＤＳＣＨリリースうちの少なくとも１つである。
【０１２０】
ここで、図４では、バスアーキテクチャは、任意の数の相互接続されたバスおよびブリッジを含み得、具体的に、プロセッサ４０２によって表される１つ以上のプロセッサの様々な回路およびメモリ４０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェイスはインターフェイスを提供する。送受信機４０３は、複数の要素であり得る、すなわち、送信機および受信機を含み得、伝送媒体を介して他の様々なデバイスと通信するためのユニットを提供する。プロセッサ４０２は、バスアーキテクチャ及び通常の処理を管理し、メモリ４０１は、プロセッサ４０２が動作する際に利用するデータを記憶することができる。
【０１２１】
任意選択で、メモリ４０１は、ＲＯＭ（Ｒｅａｄ  Ｏｎｌｙ  Ｍｅｍｏｒｙ読み取り専用メモリ）、ＲＡＭ（Ｒａｎｄｏｍ  Ａｃｃｅｓｓ  Ｍｅｍｏｒｙ，ランダムアクセスメモリ）、および磁気ディスクメモリを含み得る。メモリ４０１は、プロセッサ４０２が動作するときに必要なデータを格納し、すなわち、少なくとも１つのプロセッサ４０２によって実行され得る命令を格納するように構成され、少なくとも１つのプロセッサ４０２は、メモリ４０１によって格納された命令を実行し、したがって、図１から図３に示す実施形態によって提供されるＨＡＲＱ−ＡＣＫの送信方法が実行される。ここで、メモリ４０１の数は、１つまたは複数である。ここで、メモリ４０１は図４に同時に示されていますが、メモリ４０１はオプションの機能モジュールであり、図４に点線で示されていることを知っておく必要がある。
【０１２２】
図５を参照すると、同じ本発明の思想に基づいて、本発明の実施形態は、端末装置を提供する。端末装置は、決定ユニット５０１および伝送ユニット５０２を含むことができる。決定ユニット５０１は、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、ＨＡＲＱ−ＡＣＫを決定するときＰＤＣＣＨに使用されるＤＣＩフォーマットのＤＡＩを無視するように構成される。伝送ユニット５０２は、少なくとも１つのＰＵＳＣＨ上で決定されたＨＡＲＱ−ＡＣＫを伝送するように構成される。
【０１２３】
任意選択で、複数のＰＵＳＣＨは、同じＰＵＳＣＨまたは伝送ブロックＴＢの反復伝送であり、または、複数のＰＵＳＣＨは、同じＰＤＣＣＨによってスケジューリングされた複数の独立したＰＵＳＣＨの伝送である。
【０１２４】
任意選択で、ＤＣＩフォーマットは、ＤＣＩフォーマット０＿１である。
【０１２５】
任意選択で、決定ユニット５０１は具体的に、対応のＰＤＣＣＨがないＰＵＳＣＨでのＨＡＲＱ−ＡＣＫ伝送の決定モードに従がい、ＨＡＲＱ−ＡＣＫを決定し、または、ＰＵＣＣＨでのＨＡＲＱ−ＡＣＫ伝送の決定モードに従がい、ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１２６】
任意選択で、決定ユニット５０１は具体的に、半静的ＨＡＲＱ−ＡＣＫコードブックが使用される場合、ＰＵＳＣＨ上でのＨＡＲＱ−ＡＣＫ伝送が必要とするダウンリンク伝送または半永続的スケジューリング（ＳＰＳ）ＰＤＳＣＨが受信されていない場合、ＰＵＳＣＨ上でＨＡＲＱ−ＡＣＫの送信がないことを決定し、および／または、ＰＵＳＣＨ上でのＨＡＲＱ−ＡＣＫ伝送が必要とするダウンリンク伝送が１つだけ受信され、ダウンリンク伝送がＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ受信されるとき、ＨＡＲＱ−ＡＣＫは、１つのダウンリンク伝送または１つのＳＰＳ  ＰＤＳＣＨのＨＡＲＱ−ＡＣＫであり、さもないと、ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックである。
【０１２７】
任意選択で、決定ユニット５０１は具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送が受信されるとき、ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１２８】
任意選択で、決定ユニット５０１は具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、少なくとも１つのＰＵＳＣＨ上でのＨＡＲＱ−ＡＣＫ伝送が必要とするダウンリンク伝送またはＳＰＳ  ＰＤＳＣＨが受信されるとき、ＨＡＲＱ−ＡＣＫは、ダウンリンク伝送に対応するＰＤＣＣＨ内のＤＡＩに従がって決定された動的ＨＡＲＱ−ＡＣＫコードブックである。
【０１２９】
任意選択で、ダウンリンク伝送は、ＰＤＳＣＨまたは半永続スケジューリング（ＳＰＳ）ＰＤＳＣＨリリースうちの少なくとも１つである。
【０１３０】
ここで、決定ユニット５０１および伝送ユニット５０２に対応するエンティティ装は、前述のプロセッサ４０２または送受信機４０３あり得る。基地局は、図１に示されるような実施形態によって提供されるＨＡＲＱ−ＡＣＫの送信方法を実行するために使用され得る。したがって、当該装置内の様々な機能モジュールによって達成され得る機能は、図１から図３に示されるような実施形態における対応する説明を参照することができ、その説明は本明細書では省略される。
【０１３１】
図６を参照すると、同じ本発明の思想に基づいて、本発明の実施形態は、ネットワーク装置を提供する。ネットワーク装置は、メモリ６０１、プロセッサ６０２、および送受信機６０３を含む。メモリ６０１および送受信機６０３は、バスインターフェース（図６で例として使用される）によってプロセッサ６０２に接続され得るか、または特別な接続ワイヤによるプロセッサ６０２に接続されされる。
【０１３２】
ここで、メモリ６０１は、プログラムを格納するように構成することができる。送受信機６０３は、前記プロセッサの制御下でデータを送受信するように構成される。プロセッサ６０２は、メモリ６０１内のプログラムを読み取り、以下のプロセスを実行するように構成され得る：ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、ＨＡＲＱ−ＡＣＫのフィードバックビット数を決定するときに、ＰＤＣＣＨに使用されるＤＣＩフォーマットのＤＡＩを無視し、ＰＵＳＣＨでＨＡＲＱ−ＡＣＫのフィードバックビット数従がってＨＡＲＱ−ＡＣＫを受信する。
【０１３３】
任意選択で、複数のＰＵＳＣＨは、同じＰＵＳＣＨまたは伝送ブロックＴＢの反復伝送であり、または、複数のＰＵＳＣＨは、同じＰＤＣＣＨによってスケジューリングされた複数の独立したＰＵＳＣＨの伝送である。
【０１３４】
任意選択で、ＤＣＩフォーマットは、ＤＣＩフォーマット０＿１である。
【０１３５】
任意選択で、プロセッサ６０２は具体的に、対応のＰＤＣＣＨがないＰＵＳＣＨでのＨＡＲＱ−ＡＣＫ伝送の決定モードに従がい、ＨＡＲＱ−ＡＣＫのフィードバックビット数を決定するか、または、ＰＵＣＣＨでのＨＡＲＱ−ＡＣＫ伝送の決定モードに従がい、ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１３６】
任意選択で、プロセッサ６０２は具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、ＰＵＳＣＨ上でのＨＡＲＱ−ＡＣＫ伝送が必要とする１つのみのダウンリンク伝送ダウンリンク伝送がＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、ＨＡＲＱ−ＡＣＫのフィードバックビット数は、１つのダウンリンク伝送または１つのＳＰＳ  ＰＤＳＣＨのＨＡＲＱ−ＡＣＫのフィードバックビット数である。さもないと、ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数である。
【０１３７】
任意選択で、プロセッサ６０２は具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１３８】
任意選択で、プロセッサ６０２は具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である。
任意選択で、ダウンリンク伝送は、ＰＤＳＣＨおよびＳＰＳ  ＰＤＳＣＨリリースのうちの少なくとも１つである。
【０１３９】
ここで、図６では、バスアーキテクチャは、任意の数の相互接続されたバスおよびブリッジを含み得、具体的に、プロセッサ６０２によって表される１つ以上のプロセッサの様々な回路およびメモリ６０１によって表されるメモリをリンクし得る。さらに、周辺装置、電圧調整器、電力管理回路などのさまざまな他の回路をリンクすることができ、これらはすべて当技術分野でよく知られており、したがって、本明細書では再度さらに説明しない。バスインターフェイスはインターフェイスを提供する。送受信機６０３は、複数の要素であり得る、すなわち、送信機および受信機を含み得、伝送媒体を介して他の様々なデバイスと通信するためのユニットを提供する。プロセッサ６０２は、バスアーキテクチャ及び通常の処理を管理し、メモリ６０１は、プロセッサ６０２が動作する際に利用するデータを記憶することができる。
【０１４０】
任意選択で、メモリ６０１は、ＲＯＭ（Ｒｅａｄ  Ｏｎｌｙ  Ｍｅｍｏｒｙ読み取り専用メモリ）、ＲＡＭ（Ｒａｎｄｏｍ  Ａｃｃｅｓｓ  Ｍｅｍｏｒｙ，ランダムアクセスメモリ）、および磁気ディスクメモリを含み得る。メモリ６０１は、プロセッサ６０２が動作するときに必要なデータを格納し、すなわち、少なくとも１つのプロセッサ６０２によって実行され得る命令を格納するように構成され、少なくとも１つのプロセッサ６０２は、メモリ６０１によって格納された命令を実行し、したがって、図１から図３に示す実施形態によって提供されるＨＡＲＱ−ＡＣＫの送信方法が実行される。ここで、メモリ６０１の数は、１つまたは複数である。ここで、メモリ６０１は図６に同時に示されているが、メモリ６０１は、図６に点線で示されているように、オプションの機能モジュールであることを知っておくべきである。
【０１４１】
図７を参照すると、同じ本発明の思想に基づいて、本発明の実施形態は、ネットワーク装置を提供する。ネットワーク装置は、決定ユニット７０１および受信ユニット７０２を含む。ここで、決定ユニット７０１は、ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、ＨＡＲＱ−ＡＣＫのフィードバックビット数を決定する場合ＰＤＣＣＨに使用されるＤＣＩフォーマットのＤＡＩを無視するように構成される。受信ユニット７０２は、少なくとも１つのＰＵＳＣＨ上でＨＡＲＱ−ＡＣＫのフィードバックビット数に従がってＨＡＲＱ−ＡＣＫを受信するように構成される。
【０１４２】
任意選択で、複数のＰＵＳＣＨは、同じＰＵＳＣＨまたは伝送ブロックＴＢの反復伝送であり、または、複数のＰＵＳＣＨは、同じＰＤＣＣＨによってスケジューリングされた複数の独立したＰＵＳＣＨの伝送である。
任意選択で、ＤＣＩフォーマットは、ＤＣＩフォーマット０＿１である。
【０１４３】
任意選択で、決定ユニット７０１は具体的に、対応のＰＤＣＣＨがないＰＵＳＣＨでのＨＡＲＱ−ＡＣＫ伝送の決定モードに従がい、ＨＡＲＱ−ＡＣＫのフィードバックビット数を決定するか、または、ＰＵＣＣＨでのＨＡＲＱ−ＡＣＫ伝送の決定モードに従がい、ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１４４】
任意選択で、決定ユニット７０１は具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、ＰＵＳＣＨ上でのＨＡＲＱ−ＡＣＫ伝送が必要とする１つのみのダウンリンク伝送ダウンリンク伝送がＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、ＨＡＲＱ−ＡＣＫのフィードバックビット数は、１つのダウンリンク伝送または１つのＳＰＳ  ＰＤＳＣＨのＨＡＲＱ−ＡＣＫのフィードバックビット数である。さもないと、ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数である。
【０１４５】
任意選択で、決定ユニット７０１は具体的に、半静的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、構成パラメータは、ＨＡＲＱ−ＡＣＫに空間バンドリングが使用されているかどうかを示す。
【０１４６】
任意選択で、決定ユニット７０１は具体的に、動的ＨＡＲＱ−ＡＣＫコードブックが使用される場合、ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、少なくとも１つのＰＵＳＣＨ上でのＨＡＲＱ−ＡＣＫ伝送が必要とするダウンリンク伝送が送信されるとき、ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である。
任意選択で、ダウンリンク伝送は、ＰＤＳＣＨまたは半永続スケジューリング（ＳＰＳ）ＰＤＳＣＨリリースうちの少なくとも１つである。
【０１４７】
決定ユニット７０１および受信ユニット７０２に対応するエンティティ装置は、前述のプロセッサ６０２または送受信機６０３であり得る。基地局は、図１に示されるような実施形態によって提供されるサービングセル設定方法を実行するために使用され得る。したがって、装置内の様々な機能モジュールによって達成され得る機能は、図１から図３に示されるような実施形態における対応する説明を参照することができ、その説明は本明細書では省略される。
【０１４８】
同じ本発明の思想に基づいて、本発明の実施形態は、コンピュータ記憶媒体をさらに提供する。ここで、コンピュータ記憶媒体は、コンピュータ命令を記憶する。コンピュータ命令がコンピュータで動作するときに、図１に示されるような実施形態によって提供されるＨＡＲＱ−ＡＣＫの送信方法を実行する。
【０１４９】
本発明の実施形態によって提供されるＨＡＲＱ−ＡＣＫの伝送方法、端末装置、およびネットワーク装置は、５Ｇシステムなどの無線通信システムに適用することができる。ただし、適用される通信システムには、５Ｇシステムまたは５Ｇシステムから発展したシステム、ならびにＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ，直交周波数分割多重方式）に基づくシステム、ＤＦＴ−Ｓ−ＯＦＤＭ（ＤＦＴ−Ｓｐｒｅａｄ  ＯＦＤＭ）に基づくシステム、ｅＬＴＥ（Ｅｖｏｌｖｅｄ  Ｌｏｎｇ  Ｔｅｒｍ  Ｅｖｏｌｕｔｉｏｎ）システム、および新しいネットワーク装置システムなどの他のシステムが含まれるが、これらに限定されない。実際のアプリケーションでは、上記のすべての装置間の接続は、ワイヤレス接続または有線接続である可能性がある。
【０１５０】
上記の通信システムは、複数の端末装置を含むことができ、ネットワーク装置は、複数の端末装置（シグナリングまたはデータ送信）と通信することができることに留意されたい。本発明の実施形態に含まれる端末装置は、ユーザに音声および／またはデータ接続を提供するための装置、無線接続機能を備えたハンドヘルド装置、または無線モデムに接続された他の処理装置であり得る。ワイヤレスユーザ機器は、携帯電話（または「セルラー」電話と呼ばれる）などのモバイル端末、およびモバイル端末を備えたコンピュータであり得る。たとえば、モバイル端末を備えたコンピュータは、ポータブル、ポケット、ハンドヘルド、コンピュータ内蔵または車両搭載のモバイルデバイスであり、音声および／またはデータを無線アクセスネットワークと交換する。
【０１５１】
ワイヤレスユーザ機器は、例えば、パーソナル通信サービス（Ｐｅｒｓｏｎａｌ  Ｃｏｍｍｕｎｉｃａｔｉｏｎ  Ｓｅｒｖｉｃｅ，ＰＣＳ）電話、コードレス電話、セッション開始プロトコル（ＳＩＰ）電話、無線ローカルループ（Ｗｉｒｅｌｅｓｓ  Ｌｏｃａｌ  Ｌｏｏｐ，ＷＬＬ）局、携帯情報端末（Ｐｅｒｓｏｎａｌ  Ｄｉｇｉｔａｌ  Ａｓｓｉｓｔａｎｔ，ＰＤＡ）および他のデバイスであり得る。
【０１５２】
無線ユーザ機器は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザー端末（Ｒｅｍｏｔｅ  Ｓｔａｔｉｏｎ）、ユーザーエージェント（Ｕｓｅｒ  Ａｇｅｎｔ）、ユーザーデバイス（Ｕｓｅｒ  Ｄｅｖｉｃｅ）、無線デバイス（ｗｉｒｅｌｅｓｓ  ｄｅｖｉｃｅ）などと呼ばれることもある。
【０１５３】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ  Ｔｒａｎｓｃｅｉｖｅｒ  Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ  Ｎｏｄｅ  Ｂ）、または５Ｇ  ＮＲにおける基地局（ｇＮＢ）であってもよいが、本発明をそれに限定しない。
【０１５４】
本発明の実施形態の説明における「第１の」および「第２の」などの単語は、説明のみを目的としており、相対的な重要性を示すまたは暗示することではない。本発明の実施形態の説明において、「複数」の意味は、２つ以上であり得る。
【０１５５】
いくつかの可能な実施方法において、本発明の実施形態によって提供されるＨＡＲＱ−ＡＣＫの送信方法、ネットワーク装置、および端末装置の様々な態様は、プログラムコードを含むプログラム製品の形態でさらに実装され得る。プログラム製品がコンピュータ装置上で動作する場合、プログラムコードは、コンピュータ装置が、本明細書の上記の説明における本発明における様々な例示的な実装方法に従って、構成情報の選択方法のステップを実行するように構成される。例えば、コンピュータ装置は、図１に示されるように、実施形態によって提供されるＨＡＲＱ−ＡＣＫの送信方法を実行することができる。
【０１５６】
前記プログラム製品は、より読み取り可能な媒体の１つまたは任意の組み合わせを採用することができる。読み取り可能な媒体は、読み取り可能な信号媒体または読み取り可能な記憶媒体であり得る。読み取り可能な記憶媒体は、例えば、電気的、磁気的、光学的、電磁気的、赤外線または半導体システム、装置または装置、ならびにそれらの任意の組み合わせであり得るが、これらに限定されない。読み取り可能な記憶媒体のより具体的な例（網羅的ではないリスト）には、１つまたは複数の導線を備えた電気コネクタ、ポータブルディスク、ハードディスク、ランダムアクセスメモリ（ＲＡＭ）、読み取り専用メモリ（ＲＯＭ）、消去可能なプログラマブル読み取り専用メモリ（ＥＰＲＯＭ）またはフラッシュメモリ、光ファイバ、コンパクトディスク読み取り専用メモリ（ＣＤ−ＲＯＭ）、光ストレージ装置、磁気ストレージ装置、またはそれらの適切な組み合わせである。
【０１５７】
本出願の実施形態のＨＡＲＱ−ＡＣＫ送信方法で使用されるプログラム製品は、ポータブルコンパクトディスク読み取り専用メモリ（ＣＤ−ＲＯＭ）を採用し、プログラムコードを含み得、そしてコンピューティングデバイス上で実行され得る。ただし、このアプリケーションのプログラム製品はこれに限定されません。この文書では、読み取り可能な記憶媒体は、プログラムを含むまたは格納する任意の有形の媒体であり、プログラムは、命令実行システム、デバイスまたは装置、または、設備によって、またはそれらと組み合わせて使用できる。
【０１５８】
読み取り可能な信号媒体は、ベースバンドで、または搬送波の一部として伝搬されるデータ信号を含み得、読み取り可能なプログラムコードがその中に運ばれる。この伝播されたデータ信号は、電磁信号、光信号、または前述の任意の適切な組み合わせを含むがこれらに限定されない多くの形態をとることができる。読み取り可能な信号媒体はまた、読み取り可能な記憶媒体以外の任意の読み取り可能な媒体であり得る、および読み取り可能な媒体は、命令実行システム、装置、またはデバイスによって、またはそれらと組み合わせて使用するためのプログラムを送信、伝播、または送信することができる。
【０１５９】
可読媒体に含まれるプログラムコードは、無線、有線、光ケーブル、ＲＦなどを含むがこれらに限定されない任意の適切な媒体、または上記の任意の適切な組み合わせによって送信することができる。
【０１６０】
このアプリケーションの操作を実行するために使用されるプログラムコードは、１つ以上のプログラミング言語の任意の組み合わせで記述できます。プログラミング言語には、Ｊａｖａ、Ｃ  ＋＋プログラミング言語−「Ｃ」言語または同様のプログラミング言語などのオブジェクト指向のプログラミング言語と、従来の手続き型が含まれる。プログラムコードは、完全にユーザーのコンピューティングデバイス上で、一部はユーザーのデバイス上で、一部はユーザーのデバイス上で、一部はユーザーのコンピューティングデバイス上で、一部はリモートコンピューティングデバイス上で、または完全にリモートコンピューティングデバイスまたはサーバー上で実行できる。リモートコンピューティングデバイスの場合、リモートコンピューティングデバイスは、ローカルエリアネットワーク（ＬＡＮ）またはワイドエリアネットワーク（ＷＡＮ）を含む、あらゆる種類のネットワークを介してユーザーのコンピューティングデバイスに接続できます。外部コンピューティングデバイス（たとえば、インターネットサービスを使用）プロバイダーがインターネット経由で接続します）。
【０１６１】
装置のいくつかのユニットまたはサブユニットが上記の詳細な説明で言及されているが、そのような分割は単なる例示であり、強制ではないことに留意されたい。実際には、上記の２つ以上のユニットの特徴および機能は、本発明の実施方法に従って、ユニットのうちの１つに具体化され得る。逆に、上記のユニットのうちの１つの特徴および機能は、より多くのユニットによって具体化されるようにさらに分割され得る。
【０１６２】
また、本発明により提供される方法の操作は、添付の図面に特定の順序で記載されているが、これらの操作が特定の順序に従って実行されなければならないことは必須ではなく、または暗示されていない。示されているすべての操作を実行するだけで、目的の結果が得られる場合がある。追加的または代替的に、いくつかのステップが省略されてもよく、複数のステップが実行される１つのステップに結合され、および／または１つのステップが実行される複数のステップに分割される。
【０１６３】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ−ＲＯＭ、光学記憶装置などを含むがそれとは限らない）において実施する。
【０１６４】
上記のすべての機能モジュールの分割は、説明の便宜および簡潔さの目的のためにのみ示されていることは、当業者によって明確に知ることができる。実際の用途では、上記の機能分配は、必要に応じて異なる機能モジュールによって完了することができる。すなわち、装置の内部構造は、上記の機能の全部または一部が完了するように、異なる機能モジュールに分割される。上記のようなシステム、装置、およびユニットの特定の作業プロセスは、前述の方法の実施形態における対応するプロセスを指す場合があり、その説明は本明細書では省略される。
【０１６５】
本発明によって提供されるいくつかの実施形態では、開示された装置および方法は、他の方法で実施され得ることが理解されるべきである。例えば、上記の装置の実施形態は、概略的なものにすぎず、例えば、モジュールまたはユニットの分割は、論理機能分割のみであり、実際の実施中に、例えば、複数のユニットまたはコンポーネントなど、追加の分割方法があり得る。別のシステムで結合または統合されたり、一部の機能が無視されたり実行されなかったりする場合がある。さらに、表示または議論された相互結合または直接結合または通信接続は、いくつかのインターフェースによって実施され得、装置またはユニット間の間接結合または通信接続は、電気的、機械的または他の形態で実施され得る。
【０１６６】
分離コンポーネントとして説明されるユニットは、物理的に分離されていてもされなくてもよく、ユニットとして表示されたコンポーネントは、物理ユニットであってもなくてもよい。すなわち、コンポーネントは、１つの場所に配置されるか、または複数のネットワークユニットに分散され得る。本実施形態の解決の目的を達成するために、実際の需要に応じて、すべてのユニットの部品を選択することができる。
【０１６７】
さらに、本発明のすべての実施形態におけるすべての機能ユニットは、１つの処理ユニットに統合され得るか、またはユニットのそれぞれが物理的に単独で存在するか、または２つ以上のユニットが１つのユニットに統合され得る。上記の統合ユニットは、ハードウェアの形態とソフトウェア機能ユニットの形態の両方で実装することができる。
【０１６８】
ソフトウェア機能ユニットの形態で実装され、独立した製品として販売または使用される場合、統合されたユニットは、コンピュータ可読記憶媒体に記憶され得る。そのような理解に基づいて、本発明の技術的解決策、またはその一部が先行技術に貢献すること、または技術的解決策の全部または一部がソフトウェア製品の形で反映され得る、コンピュータソフトウェア製品は、記憶媒体に記憶され、コンピュータ装置（パーソナルコンピュータ、サーバーまたはネットワーク装置などであり得る）またはプロセッサに、以下の各実施形態における方法のステップの全部または一部を実行させるためのいくつかの命令を含む。本発明。前述の記憶媒体には、ユニバーサルシリアルバスフラッシュディスク、モバイルハードディスク、ＲＯＭ（読み取り専用メモリ）、ＲＡＭ（ランダムアクセスメモリ）、磁気ディスク、またはプログラムコードを格納できる光ディスクなどの様々な媒体が含まれる。
【０１６９】
本発明の精神および範囲から逸脱することなく、当業者によって様々な変更および修正を行うことができることは明らかである。このように、本発明のこれらの変更および修正が、本発明およびその同等の技術の特許請求の範囲内にある場合、本発明はまた、これらの変更および修正を含むことを意図する。
【符号の説明】
【０１７０】
４０１  メモリ
４０２  プロセッサ
４０３  送受信機
５０１  決定ユニット
５０２  伝送ユニット
６０１  メモリ
６０２  プロセッサ
６０３  送受信機
７０１  決定ユニット
７０２  受信ユニット
【図１】
2022500959.tif 000003
【図２】
2022500959.tif 000004
【図３】
2022500959.tif 000005
【図４】
2022500959.tif 000006
【図５】
2022500959.tif 000007
【図６】
2022500959.tif 000008
【図７】
2022500959.tif 000009
【手続補正書】
【提出日】令和3年3月22日(2021.3.22)
【手続補正１】
【補正対象書類名】明細書
【補正対象項目名】００９７
【補正方法】変更
【補正の内容】
【００９７】
方法１：対応のＰＤＣＣＨがないＰＵＳＣＨでのＨＡＲＱ−ＡＣＫ伝送の決定モードに従がい、ＨＡＲＱ−ＡＣＫを決定する。すなわち、対応するＰＤＣＣＨがＰＵＳＣＨをスケジューリングしない状況に従って処理が実行される。すなわち、スロットｎ＋２に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋２におけるＰＵＳＣＨで伝送する必要があるＨＡＲＱ−ＡＣＫビット数を決定する。すなわち、このとき、１ビットのＨＡＲＱ−ＡＣＫが生成される。
【手続補正２】
【補正対象書類名】明細書
【補正対象項目名】００９８
【補正方法】変更
【補正の内容】
【００９８】
方法２：ＰＵＣＣＨ上でのＨＡＲＱ−ＡＣ送信のための決定された方式に従がい、ＰＵＣＣＨに対応するＨＡＲＱ−ＡＣＫの空間バンドリングの構成パラメータをＰＵＳＣＨに対応するＨＡＲＱ−ＡＣＫの空間バンドリングのための構成パラメータ置き換える。第２の実施形形態では、空間バンドリングは関与せず、したがって、端末装置は、直接に、スロットｎ＋２に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋２におけるＰＵＳＣＨで伝送する必要があるＨＡＲＱ−ＡＣＫビット数を決定する。すなわち、このとき、１ビットのＨＡＲＱ−ＡＣＫが生成される。
【手続補正３】
【補正対象書類名】明細書
【補正対象項目名】００９９
【補正方法】変更
【補正の内容】
【００９９】
方法３：コードブックは、ダウンリンクＤＣＩフォーマットを使用して、ＰＤＣＣＨ内のＤＡＩに従って常に決定される。すなわち、ＰＵＣＣＨ条での伝送方式で、ＨＡＲＱ−ＡＣＫを直接に決定する。つまり、スロットｎ＋２に対応するＰＤＣＣＨ  ｍｏｎｉｔｏｒｉｎｇ  ｏｃｃａｓｉｏｎ集合において受信した最後１つのＰＤＣＣＨのＤＬ  ＤＡＩによって示されるダウンリンク伝送の数に従がい、スロットｎ＋２におけるＰＵＳＣＨで伝送する必要があるＨＡＲＱ−ＡＣＫビット数を決定する。すなわち、このとき、１ビットのＨＡＲＱ−ＡＣＫが生成される。
【手続補正４】
【補正対象書類名】特許請求の範囲
【補正対象項目名】全文
【補正方法】変更
【補正の内容】
【特許請求の範囲】
【請求項１】
ＨＡＲＱ−ＡＣＫが１つの物理ダウンリンク制御チャネル（ＰＤＣＣＨ）に対応する複数の物理アップリンク共有チャネル（ＰＵＳＣＨ）のうちの第１のＰＵＳＣＨ以外の少なくとも１つのＰＵＳＣＨ上で伝送される場合、前記ＨＡＲＱ−ＡＣＫを決定するときに前記ＰＤＣＣＨに使用されるダウンリンク制御情報（ＤＣＩ）フォーマットのダウンリンク割り当てインデックスＤＡＩを無視するステップと、
前記少なくとも１つのＰＵＳＣＨで決定されたＨＡＲＱ−ＡＣＫを伝送するステップとを含む、ことを特徴とするハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項２】
前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項３】
前記ＨＡＲＱ−ＡＣＫを決定するときに前記ＰＤＣＣＨに使用されるＤＣＩフォーマットのＤＡＩを無視することは、
対応のＰＤＣＣＨがないＰＵＳＣＨでのＨＡＲＱ−ＡＣＫ伝送の決定モードに従がい、前記ＨＡＲＱ−ＡＣＫを決定し、または、
ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換えることを含み、
前記構成パラメータは、前記ＨＡＲＱ−ＡＣＫに空間バンドリングを使用するかどうかを示すために使用される、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項４】
前記ＨＡＲＱ−ＡＣＫを決定するときに前記ＰＤＣＣＨに使用されるＤＣＩフォーマットのＤＡＩを無視することは、方式１、方式２および方式３のうちの１で実行され、
方式１：半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が受信されない場合、ＰＵＳＣＨ上でＨＡＲＱ−ＡＣＫの送信がないことを決定し、および／または、
ＰＵＳＣＨ上でのＨＡＲＱ−ＡＣＫ伝送が必要とするダウンリンク伝送が１つだけ受信され、前記ダウンリンク伝送がＤＣＩフォーマット１＿０が使用されるＰＤＣＣＨによってスケジューリングされ、かつＤＣＩフォーマット１＿０内のＤＡＩ＝１のとき、またはＰＵＳＣＨ上でのＨＡＲＱ−ＡＣＫ伝送が必要とするＳＰＳ  ＰＤＳＣＨが１つだけ受信されるとき、前記ＨＡＲＱ−ＡＣＫは、前記１つのダウンリンク伝送または前記１つのＳＰＳ  ＰＤＳＣＨのＨＡＲＱ−ＡＣＫであり、さもないと、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、
方式２：半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送が受信されるとき、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換えることを含み、
前記構成パラメータは、前記ＨＡＲＱ−ＡＣＫに空間バンドリングを使用するかどうかを示すために使用され、
方式３：動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送またはＳＰＳ  ＰＤＳＣＨが受信されるとき、前記ＨＡＲＱ−ＡＣＫは、ダウンリンク伝送に対応するＰＤＣＣＨ内のＤＡＩに従がって決定された動的ＨＡＲＱ−ＡＣＫコードブックであることを含む、ことを特徴とする請求項１に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の伝送方法。
【請求項５】
ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックスＤＡＩを無視するステップと、
前記少なくとも１つのＰＵＳＣＨ上で前記ＨＡＲＱ−ＡＣＫのフィードバックビット数に従がってＨＡＲＱ−ＡＣＫを受信するステップとを含む、ことを特徴とするハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項６】
前記複数のＰＵＳＣＨは、同じＰＵＳＣＨまたはＴＢの反復伝送であり、または、前記複数のＰＵＳＣＨは、同じＰＤＣＣＨによってスケジューリングされた複数の独立したＰＵＳＣＨの伝送である、ことを特徴とする請求項５に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項７】
前記ＨＡＲＱ−ＡＣＫのフィードバックビット数を決定するとき、前記ＰＤＣＣＨに使用されるＤＣＩフォーマットのＤＡＩを無視することは、
対応のＰＤＣＣＨがないＰＵＳＣＨでのＨＡＲＱ−ＡＣＫ伝送の決定モードに従がい、前記ＨＡＲＱ−ＡＣＫのフィードバックビット数を決定し、または、
ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項５に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項８】
前記ＨＡＲＱ−ＡＣＫのフィードバックビット数を決定するとき、前記ＰＤＣＣＨに使用されるＤＣＩフォーマットのＤＡＩを無視することは、方式１、方式２および方式３のうちの１つで実行され、
方式１：半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が送信されない場合、ＰＵＳＣＨ上でのＨＡＲＱ−ＡＣＫの受信がないと判断し、および／または、
ＰＵＳＣＨ上でのＨＡＲＱ−ＡＣＫ伝送が必要とするダウンリンク伝送が１つだけ送信され、前記ダウンリンク伝送は、ＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、前記ＨＡＲＱ−ＡＣＫのフィードバックビット数は、前記一个ダウンリンク伝送または前記１つのＳＰＳ  ＰＤＳＣＨのＨＡＲＱ−ＡＣＫのフィードバックビット数であり、さもないと、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であることを含み、
方式２：半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用されることを含み、
方式３：動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である、ことを特徴とする請求項５に記載のハイブリッド自動再送要求−確認応答（Ｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ，  ＨＡＲＱ−ＡＣＫ）の受信方法。
【請求項９】
ＨＡＲＱ−ＡＣＫが１つの物理ダウンリンク制御チャネル（ＰＤＣＣＨ）に対応する複数の物理アップリンク共有チャネル（ＰＵＳＣＨ）のうちの第１のＰＵＳＣＨ以外の少なくとも１つのＰＵＳＣＨ上で伝送される場合、前記ＨＡＲＱ−ＡＣＫを決定するときに前記ＰＤＣＣＨに使用されるダウンリンク制御情報（ＤＣＩ）フォーマットのダウンリンク割り当てインデックスＤＡＩを無視するように構成された決定ユニットと、
前記少なくとも１つのＰＵＳＣＨで決定されたＨＡＲＱ−ＡＣＫを伝送するように構成された伝送ユニットとを含む、ことを特徴とする端末装置。
【請求項１０】
前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である、ことを特徴とする請求項９に記載の端末装置。
【請求項１１】
前記決定ユニットは、
対応のＰＤＣＣＨがないＰＵＳＣＨでのＨＡＲＱ−ＡＣＫ伝送の決定モードに従がい、前記ＨＡＲＱ−ＡＣＫを決定し、または、
ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項９に記載の端末装置。
【請求項１２】
前記ＨＡＲＱ−ＡＣＫを決定するときに前記ＰＤＣＣＨに使用されるＤＣＩフォーマットのＤＡＩを無視することは、方式１、方式２および方式３のうちの１で実行され、
方式１：半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が受信されない場合、ＰＵＳＣＨ上でＨＡＲＱ−ＡＣＫの送信がないことを決定し、および／または、
ＰＵＳＣＨ上でのＨＡＲＱ−ＡＣＫ伝送が必要とするダウンリンク伝送が１つだけ受信され、前記ダウンリンク伝送がＤＣＩフォーマット１＿０が使用されるＰＤＣＣＨによってスケジューリングされ、かつＤＣＩフォーマット１＿０内のＤＡＩ＝１のとき、またはＰＵＳＣＨ上でのＨＡＲＱ−ＡＣＫ伝送が必要とするＳＰＳ  ＰＤＳＣＨが１つだけ受信されるとき、前記ＨＡＲＱ−ＡＣＫは、前記１つのダウンリンク伝送または前記１つのＳＰＳ  ＰＤＳＣＨのＨＡＲＱ−ＡＣＫであり、さもないと、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、
方式２：半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送が受信されるとき、前記ＨＡＲＱ−ＡＣＫは、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックであり、または、ＰＵＣＣＨでのＨＡＲＱ−ＡＣＫ伝送の決定モードに従がい、前記ＨＡＲＱ−ＡＣＫを決定し、ＰＵＣＣＨに対応するＨＡＲＱ−ＡＣＫの構成パラメータを、ＰＵＳＣＨに対応するＨＡＲＱ−ＡＣＫの構成パラメータで置き換えることを含み、
前記構成パラメータは、前記ＨＡＲＱ−ＡＣＫに空間バンドリングを使用するかどうかを示すために使用され、
方式３：動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨが受信されていないとき、ＰＵＳＣＨ上でＨＡＲＱ−ＡＣＫの送信がないことを決定し、および／または、
少なくとも１つのＰＵＳＣＨ上でのＨＡＲＱ−ＡＣＫ伝送が必要とするダウンリンク伝送またはＳＰＳ  ＰＤＳＣＨが受信されるとき、前記ＨＡＲＱ−ＡＣＫは、ダウンリンク伝送に対応するＰＤＣＣＨ内のＤＡＩに従がって決定された動的ＨＡＲＱ−ＡＣＫコードブックであることを含む、ことを特徴とする請求項９に記載の端末装置。
【請求項１３】
ＨＡＲＱ−ＡＣＫが１つのＰＤＣＣＨに対応する複数のＰＵＳＣＨのうちの第１のＰＵＳＣＨ以外の少なくとも１つのＰＵＳＣＨで伝送される場合、前記ＨＡＲＱ−ＡＣＫのフィードバックビット数を決定するとき、前記ＰＤＣＣＨに使用されるダウンリンク制御情報（ＤＣＩ）フォーマットのダウンリンク割り当てインデックスＤＡＩを無視するように構成された決定ユニットと、
前記少なくとも１つのＰＵＳＣＨ上で前記ＨＡＲＱ−ＡＣＫのフィードバックビット数に従がってＨＡＲＱ−ＡＣＫを受信するように構成された受信ユニットとを含む、ことを特徴とするネットワーク装置。
【請求項１４】
前記複数のＰＵＳＣＨは、同じＰＵＳＣＨまたは伝送ブロックＴＢの反復伝送であり、または、前記複数のＰＵＳＣＨは、同じＰＤＣＣＨによってスケジューリングされた複数の独立したＰＵＳＣＨの伝送である、ことを特徴とする請求項１３に記載のネットワーク装置。
【請求項１５】
前記決定ユニットは、
対応のＰＤＣＣＨがないＰＵＳＣＨでのＨＡＲＱ−ＡＣＫ伝送の決定モードに従がい、前記ＨＡＲＱ−ＡＣＫのフィードバックビット数を決定し、または、
ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用される、ことを特徴とする請求項１３に記載のネットワーク装置。
【請求項１６】
前記ＨＡＲＱ−ＡＣＫのフィードバックビット数を決定するとき、前記ＰＤＣＣＨに使用されるＤＣＩフォーマットのＤＡＩを無視することは、方式１、方式２および方式３のうちの１つで実行され、
方式１：半静的ＨＡＲＱ−ＡＣＫコードブックが使用される場合、
ＰＵＳＣＨ上でのＨＡＲＱ−ＡＣＫ伝送が必要とするダウンリンク伝送または半永続的スケジューリング（ＳＰＳ）物理ダウンリンク共有チャネル（ＰＤＳＣＨ）が送信されない場合、ＰＵＳＣＨ上でのＨＡＲＱ−ＡＣＫの受信がないと判断し、および／または、
ＰＵＳＣＨ上でのＨＡＲＱ−ＡＣＫ伝送が必要とするダウンリンク伝送が１つだけ送信され、前記ダウンリンク伝送は、ＤＣＩフォーマット１＿０が使用されるＰＤＣＣＨによってスケジューリングされ、ＤＣＩフォーマット１＿０内のＤＡＩ＝１であるとき、またはＰＵＳＣＨ上でのＨＡＲＱ−ＡＣＫ伝送が必要とするＳＰＳ  ＰＤＳＣＨが１つだけ送信され、前記ＨＡＲＱ−ＡＣＫのフィードバックビット数は、前記一个ダウンリンク伝送または前記１つのＳＰＳ  ＰＤＳＣＨのＨＡＲＱ−ＡＣＫのフィードバックビット数であり、さもないと、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であることを含み、
方式２：半静的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送候補時間領域リソース集合およびダウンリンク伝送とＨＡＲＱ−ＡＣＫの間のフィードバックタイミング集合に従がって決定された半静的ＨＡＲＱ−ＡＣＫコードブックのフィードバックビット数であり、または、ＰＵＣＣＨでのＨＡＲＱ−ＡＣＫ伝送の決定モードに従がい、前記ＨＡＲＱ−ＡＣＫのフィードバックビット数を決定し、ＰＵＣＣＨに対応するＨＡＲＱ−ＡＣＫの構成パラメータを、ＰＵＳＣＨに対応するＨＡＲＱ−ＡＣＫの構成パラメータで置き換え、ここで、前記構成パラメータは、前記ＨＡＲＱ−ＡＣＫに空間バンドリングを使用するかどうかを示すために使用されることを含み、
方式３：動的ＨＡＲＱ−ＡＣＫコードブックが使用される場合、
ＰＵＳＣＨ上でのＨＡＲＱ−ＡＣＫ伝送が必要とするダウンリンク伝送またはＳＰＳ  ＰＤＳＣＨの送信がないとき、ＰＵＳＣＨ上でのＨＡＲＱ−ＡＣＫの受信がないと判断し、および／または、
少なくとも１つのＰＵＳＣＨ上でのＨＡＲＱ−ＡＣＫ伝送が必要とするダウンリンク伝送が送信されるとき、前記ＨＡＲＱ−ＡＣＫのフィードバックビット数は、ダウンリンク伝送に対応するＰＤＣＣＨ内のＤＡＩに従がって決定された動的ＨＡＲＱ−ＡＣＫコードブックのフィードバックビット数である、ことを特徴とする請求項１３に記載のネットワーク装置。
【国際調査報告】
2022500959.tif 000010
2022500959.tif 000011
2022500959.tif 000012
2022500959.tif 000013